(57)【要約】  本願は、カードホルダー及び携帯端末を提供する。本願で提供されるカードホルダーは、ホルダー本体及び複数の電気コネクタを含む。ホルダー本体には、ナノＳＩＭカードに一致するカードスロットが配置される。カードスロットは、ナノＳＩＭカード又はナノＳＩＭカードと同じ外観を有するメモリカードを収容するように構成される。複数の電気コネクタの少なくともいくつかは、ナノＳＩＭカード内の電気接点の位置とその位置が一致する第１の電気コネクタであり、第１の電気コネクタは、カードスロットに収容されたナノＳＩＭカード又はメモリカードに電気的に接続するように構成される。複数の電気コネクタは全て、メモリカードに電気的に接続するように構成される。このアプリケーションによれば、ナノＳＩＭカードを収容可能なカードホルダーを使用して、データ拡張機能を実行できる。
2021513207.tif 000002
【特許請求の範囲】
【請求項１】
ホルダー本体及び複数の電気コネクタを含むカードホルダーであって、
該カードホルダーには、ナノＳＩＭカードに一致するカードスロットが配置され、
前記カードスロットは、前記ナノＳＩＭカード又は該ナノＳＩＭカードと同じ外観を有するメモリカードを収容するように構成され、
前記複数の電気コネクタの少なくともいくつかは、前記ナノＳＩＭカード内の電気接点の位置とその位置が一致する第１の電気コネクタであり、
該第１の電気コネクタは、前記カードスロットに収容された前記ナノＳＩＭカード又は前記メモリカードに電気的に接続するように構成され、及び
前記複数の電気コネクタは全て、前記メモリカードに電気的に接続するように構成される、
カードホルダー。
【請求項２】
全ての前記電気コネクタは、前記ナノＳＩＭカード内の前記電気接点の前記位置とその位置が一致する第１の電気コネクタである、請求項１に記載のカードホルダー。
【請求項３】
少なくとも２つの第１の電気コネクタが、同じ電気接点の位置と一致する、請求項２に記載のカードホルダー。
【請求項４】
前記少なくとも２つの第１の電気コネクタは、前記メモリカード内の異なる接点に対応する、請求項３に記載のカードホルダー。
【請求項５】
前記複数の電気コネクタは、少なくとも２つの電気コネクタ・アセンブリを含み、各電気コネクタ・アセンブリは、同じ電気接点の位置に一致する少なくとも２つの第１の電気コネクタを含む、請求項３又は４に記載のカードホルダー。
【請求項６】
各電気コネクタ・アセンブリが、同じ電気接点の位置に一致する２つの第１の電気コネクタを含む、請求項５に記載のカードホルダー。
【請求項７】
前記少なくとも２つの電気コネクタ・アセンブリは、第１の電気コネクタ・アセンブリ及び第２の電気コネクタ・アセンブリを含み、
前記第１の電気コネクタ・アセンブリ内の各第１の電気コネクタが、前記ナノＳＩＭカード内のＶＣＣ接点の位置と一致し、及び
前記第２の電気コネクタ・アセンブリ内の各第１の電気コネクタが、前記ナノＳＩＭカード内のＧＮＤ接点の位置と一致する、請求項５又は６に記載のカードホルダー。
【請求項８】
前記電気コネクタ・アセンブリ内の前記第１の電気コネクタは、異なる態様で配置される、及び／又は
各電気コネクタ・アセンブリは、前記電気コネクタ・アセンブリの外側の第１の電気コネクタの形状とは形状が異なる第１の電気コネクタを有する、請求項５又は６に記載のカードホルダー。
【請求項９】
前記複数の電気コネクタは第２の電気コネクタを含み、
前記第２の電気コネクタの位置が、前記ナノＳＩＭカード内のいかなる電気接点の位置にも対応しない、請求項１に記載のカードホルダー。
【請求項１０】
前記第２の電気コネクタは、カード面に直交する方向で、当該カードホルダーにおける前記ナノＳＩＭカードの投影面積に配置される、請求項９に記載のカードホルダー。
【請求項１１】
前記電気コネクタはばねである、請求項１乃至１０のいずれか一項に記載のカードホルダー。
【請求項１２】
前記ホルダー本体は収容キャビティを含み、
当該カードホルダーは、前記収容キャビティに挿入可能なカードトレイを含み、
該カードトレイは、前記ナノＳＩＭカードを収容可能な凹部を含み、及び
該凹部は、前記カードスロットの少なくとも部分的な内壁を形成する、請求項１乃至１１のいずれか一項に記載のカードホルダー。
【請求項１３】
前記カードトレイは、１つの凹部を含み、
該凹部の長さ方向は、前記カードトレイの挿入方向と平行である又は直交する、請求項１２に記載のカードホルダー。
【請求項１４】
前記カードトレイは、前記ナノＳＩＭカードを収容可能な少なくとも２つの凹部を含み、該凹部は、前記カードトレイの挿入方向に沿って離間している、請求項１２に記載のカードホルダー。
【請求項１５】
前記凹部の内側に向けて突出する少なくとも１つの弾性クランプ部材が、前記凹部のエッジ部に配置される、請求項１２乃至１４のいずれか一項に記載のカードホルダー。
【請求項１６】
前記弾性クランプ部材はプラスチック製の突起部である、請求項１５に記載のカードホルダー。
【請求項１７】
請求項１乃至１６のいずれか一項に記載のカードホルダーを含む携帯端末であって、
前記カードホルダーは、メモリカード又はナノＳＩＭカードの少なくとも１つを収容するように構成される、
携帯端末。
【請求項１８】
カードトレイであって、
少なくとも１つの凹部が、当該カードトレイの表面及び裏面のそれぞれに配置されており、
前記凹部は、情報カードを収容するように構成され、
前記凹部の内側に向けて突出する少なくとも１つの弾性クランプ部材が、前記凹部の内壁に配置され、
前記弾性クランプ部材は、前記凹部に収容された前記情報カードを固定するように構成される、
カードトレイ。
【請求項１９】
前記凹部は、ベースボードを有する、請求項１８に記載のカードトレイ。
【請求項２０】
電気コネクタが、当該カードトレイに適用可能なカードホルダーに配置され、
前記ベースボードは、前記電気コネクタが配置される領域に対応する中空領域を有する、請求項１９に記載のカードトレイ。
【請求項２１】
前記弾性クランプ部材は、プラスチック製の突起部である、請求項１８乃至２０のいずれか一項に記載のカードトレイ。
【発明の詳細な説明】
【技術分野】
【０００１】
本願は、携帯端末の分野に関し、特に、カードホルダー及び携帯端末に関する。
【背景技術】
【０００２】
マイクロＳＤカードは、ＴＦカード（Trans  flash  Card）とも呼ばれ、携帯電話又は携帯情報端末（Personal  Digital  Assistant  :  PDA）等の携帯機器に広く適用できるメモリカード規格であり、データの保存及び携帯機器の拡張を実現し、携帯性、操作の簡素化、及び大容量の記憶の利点を有する。
【０００３】
現在、ユーザの使用要件を満たすために、携帯電話等の携帯端末では、多機能カードホルダーが、通常、携帯端末に使用されており、加入者識別モジュール（Subscriber  Identification  Module  :  SIM）カード又はマイクロＳＩＭ（Micro  SIM）カードをカードホルダーに挿入し、マイクロＳＤカードをカードホルダーのカードスロットに挿入することができる。このようにして、携帯端末は、１つのカードホルダーを使用して、ユーザ識別又はデータ拡張等の複数の機能を実行することができる。
【０００４】
しかしながら、携帯端末は絶えず小型化されており、携帯可能であるため、携帯端末の内部空間を節約するためにナノＳＩＭカードを使用する必要がある。この場合に、ナノＳＩＭカードを収容するカードホルダーにマイクロＳＤカードを挿入してデータ拡張機能を実行することはできない。
【発明の概要】
【０００５】
本願は、ナノＳＩＭカードを収容可能なカードホルダーを使用してデータ拡張機能を実行するためのカードホルダー及び携帯端末を提供する。
【０００６】
第１の態様によれば、本願は、ホルダー本体及び複数の電気コネクタを含むカードホルダーを提供する。ホルダー本体には、ナノＳＩＭカードに一致する（matching）カードスロットが配置される。カードスロットは、ナノＳＩＭカード又はナノＳＩＭカードと同じ外観を有するメモリカードを収容するように構成される。複数の電気コネクタの少なくともいくつかは、ナノＳＩＭカード内の電気接点の位置とその位置が一致する第１の電気コネクタであり、第１の電気コネクタは、カードスロットに収容されたナノＳＩＭカード又はメモリカードに電気的に接続するように構成される。複数の電気コネクタは全て、メモリカードに電気的に接続するように構成される。このようにして、カードホルダーは、ナノＳＩＭカードを収容するように構成でき、カードホルダーは、同じカードスロットを使用して、ナノＳＩＭカードと同様の形状のメモリカードを収容し、データ拡張及びデータ送信を実行することもできる。カードホルダーは比較的拡張性に優れている。
【０００７】
オプションで、全ての電気コネクタは、ナノＳＩＭカード内の電気接点の位置とその位置が一致する第１の電気コネクタである。
【０００８】
オプションで、少なくとも２つの第１の電気コネクタが、同じ電気接点の位置と一致する。このようにして、電気コネクタを有効に再利用することができ、それによりカードホルダーの構造を簡素化することができる。
【０００９】
オプションで、少なくとも２つの第１の電気コネクタは、メモリカード内の異なる接点に対応する。このようにして、第１の電気コネクタは、メモリカード内の接点と１対１の対応関係とすることができ、カードホルダーがメモリカードに対応して接続されるのを確実にする。
【００１０】
オプションで、複数の電気コネクタは、少なくとも２つの電気コネクタ・アセンブリを含み、各電気コネクタ・アセンブリは、同じ電気接点の位置に一致する少なくとも２つの第１の電気コネクタを含む。このようにして、第１の電気コネクタは、ナノＳＩＭカード内の６つの電気接点に対応して接続することができ、第１の電気コネクタは、メモリカード内の接点に対応して接続することができる。
【００１１】
オプションで、各電気コネクタ・アセンブリは、同じ電気接点の位置に一致する２つの第１の電気コネクタを含む。
【００１２】
オプションで、少なくとも２つの電気コネクタ・アセンブリは、第１の電気コネクタ・アセンブリと、第２の電気コネクタ・アセンブリとを含み、第１の電気コネクタ・アセンブリ内の各第１の電気コネクタが、ナノＳＩＭカード内のＶＣＣ接点の位置と一致し、及び第２の電気コネクタ・アセンブリ内の各第１の電気コネクタが、ナノＳＩＭカード内のＧＮＤ接点の位置と一致する。このようにして、カードホルダーがナノＳＩＭカードに接続されると、第１の電気コネクタ・アセンブリ又は第２の電気コネクタ・アセンブリ内の第１の電気コネクタは全て、一定の電源信号を供給可能な接点に接続され、それによって、接点と第１の電気コネクタとの接続状態を容易に検出し、カードホルダーに挿入されたカードのタイプを識別する。さらに、２つ以上の第１の電気コネクタに接続された共通の電気接点は、ナノＳＩＭカードにおける電力供給のための電気接点である。電気接点は、変更されたデータ信号を送信せずに安定した電源のみを提供するため、異なる第１の電気コネクタが同じ共通の電気接点に接続される場合でも、ナノＳＩＭカードの読取り及びデータ送信には影響を与えない。
【００１３】
オプションで、電気コネクタ・アセンブリ内の第１の電気コネクタは、異なる態様で配置される、及び／又は、各電気コネクタ・アセンブリは、電気コネクタ・アセンブリの外側の第１の電気コネクタの形状とはその形状が異なる第１の電気コネクタを有する。このようにして、比較的多い数量の第１の電気コネクタを限られたスペースに配置することができ、それにより、第１の電気コネクタと接点又は電気接点との間の偶発的な接触を回避することができる。
【００１４】
オプションで、複数の電気コネクタは第２の電気コネクタを含み、第２の電気コネクタの位置が、ナノＳＩＭカード内のいかなる電気接点の位置にも対応しない。
【００１５】
オプションで、第２の電気コネクタは、カード面に直交する方向でナノＳＩＭカードの投影面積に配置される。このようにして、第２の電気コネクタは、第１の電気コネクタと同じ側又は第１の電気コネクタの反対側の位置に配置されるので、メモリカードの場合に、第２の電気コネクタに接続するための接点を比較的大きな面積のカード面に配置できる。
【００１６】
オプションで、電気コネクタはばねである。このようにして、電気コネクタは、比較的高い構造強度を有し、比較的狭い範囲の接点及び電気接点領域に正確に接触し、電気的に接続することができる。
【００１７】
オプションで、ホルダー本体は収容キャビティを含み、カードホルダーは、収容キャビティに挿入可能なカードトレイをさらに含み、カードトレイは、ナノＳＩＭカードを収容可能な少なくとも１つの凹部を含み、及び凹部は、カードスロットの少なくとも部分的な内壁を形成する。
【００１８】
オプションで、カードトレイは、１つの凹部を含み、凹部の長さ方向は、カードトレイの挿入方向と平行である又は直交する。
【００１９】
オプションで、カードトレイは、ナノＳＩＭカードを収容可能な少なくとも２つの凹部を含み、凹部は、カードトレイの挿入方向に沿って離間している。このようにして、２枚のナノＳＩＭカードを両方ともカードホルダーに取り付けることができ、又は１枚のナノＳＩＭカードと１枚のメモリカードとを混在して取り付ける形態を使用することで、比較的高い柔軟性を達成できる。
【００２０】
オプションで、凹部の内側に向けて突出する少なくとも１つの弾性クランプ部材が、凹部のエッジ部に配置される。弾性クランプ部材は、弾性クランプ部材の弾性変形により、ナノＳＩＭカード又はメモリカードを凹部にクランプする。
【００２１】
オプションで、弾性クランプ部材はプラスチック製の突起部である。
【００２２】
第２の態様によれば、本願は、上記のカードホルダーを含む携帯端末を提供する。カードホルダーは、メモリカード又はナノＳＩＭカードの少なくとも１つを収容するように構成される。
【００２３】
オプションで、携帯端末は、識別回路及びスイッチング回路をさらに含む。識別回路とスイッチング回路とは両方ともカードホルダーに電気的に接続される。スイッチング回路は、メモリカード又はナノＳＩＭカード内の同じ電気接点と一致する少なくとも２つの電気コネクタがカードホルダーに存在する場合に、識別回路を加入者識別モジュール（ＳＩＭ）カード識別モードに切り替える、又は、カードホルダー内の電気コネクタが電気接点と１対１の関係で一致する場合に、識別回路をメモリカード識別モードに切り替えるように構成される。このようにして、携帯端末は、カードホルダーのカードスロットに挿入された情報カードを判別し、それにより正しい接続を確立してデータ送信を行うことができる。
【００２４】
第３の態様によれば、本願はカードトレイを提供する。少なくとも１つの凹部が、カードトレイの表面及び裏面のそれぞれに配置される。凹部は、情報カードを収容するように構成される。凹部の内側に向けて突出する少なくとも１つの弾性クランプ部材が、凹部の内壁に配置される。弾性クランプ部材は、凹部に収容された情報カードを固定するように構成される。
【００２５】
オプションで、凹部はベースボード（baseboard）を有する。電気コネクタが、カードトレイに適用可能なカードホルダーに配置され、ベースボードは、電気コネクタが配置される領域に対応する中空領域を有する。
【００２６】
オプションで、弾性クランプ部材は、プラスチック製の突起部である。
【００２７】
本願のカードホルダー及び携帯端末によれば、カードホルダーは、ホルダー本体及び複数の電気コネクタを含む。ホルダー本体には、ナノＳＩＭカードに一致するカードスロットが配置される。カードスロットは、ナノＳＩＭカード又はナノＳＩＭカードと同じ外観を有するメモリカードを収容するように構成される。複数の電気コネクタの少なくともいくつかは、ナノＳＩＭカード内の電気接点の位置とその位置が一致する第１の電気コネクタであり、第１の電気コネクタは、カードスロットに収容されたナノＳＩＭカード又はメモリカードに電気的に接続するように構成される。複数の電気コネクタは全て、メモリカードに電気的に接続するように構成される。このようにして、カードホルダーは、ナノＳＩＭカードを収容するように構成でき、カードホルダーは、同じカードスロットを使用して、ナノＳＩＭカードと同様の形状のメモリカードを収容し、データ拡張及びデータ送信を実施することもできる。カードホルダー及び携帯端末は比較的拡張性に優れている。
【図面の簡単な説明】
【００２８】
【図１】本願の実施形態１によるカードホルダーの概略構造図である。
【図２】従来技術のナノＳＩＭカードの概略構造図である。
【図３】本願の実施形態１によるメモリカードの概略構造図である。
【図４】本願の実施形態１によるカードホルダー内の電気コネクタの配置の概略図である。
【図５】本願の実施形態１によるカードホルダー内の電気コネクタの配置の別の概略図である。
【図６】本願の実施形態１によるカードホルダー内の電気コネクタとメモリカード内の接点と間の対応関係を示す概略図である。
【図７】本願の実施形態１によるカードホルダー内の電気コネクタとナノＳＩＭカード内の電気接点との間の対応関係を示す概略図である。
【図８】本願の実施形態１による電気コネクタの概略構造図である。
【図９】図８のＡ部の部分拡大図である。
【図１０】本願の実施形態１による電気コネクタの別の概略構造図である。
【図１１】本願の実施形態１によるメモリカード内の接点の位置の別の概略図である。
【図１２】本願の実施形態１による電気コネクタのさらに別の概略構造図である。
【図１３】本願の実施形態１によるカードトレイの概略構造図である。
【図１４ａ】本願の実施形態１による１つの凹部を有するカードトレイの第１の可能な概略構造図である。
【図１４ｂ】本願の実施形態１による１つの凹部を有するカードトレイの第２の可能な概略構造図である。
【図１５ａ】本願の実施形態１による２つの凹部を有するカードトレイの第１の可能な概略構造図である。
【図１５ｂ】本願の実施形態１による２つの凹部を有するカードトレイの第２の可能な概略構造図である。
【図１６】本発明によるカードトレイの別の概略構造図である。
【図１７】本発明によるカードトレイのさらに別の概略構造図である。
【図１８】本願の実施形態３による携帯端末の概略構造図である。
【図１９】図１８の携帯端末が携帯電話である場合の内部の一部構造を示すブロック図である。
【図２０】本願の実施形態４による情報識別方法の概略フローチャートである。
【図２１】本願の実施形態４による情報カードのタイプを決定する概略フローチャートである。
【発明を実施するための形態】
【００２９】
携帯電話等の現在の携帯端末は、サイズ及び体積が益々小さくなっているため、より多くの携帯電話又は他の携帯端末が、ナノＳＩＭカードを使用して、ユーザ識別及び認証操作等を実行する。この場合に、携帯端末のカードスロットの形状もナノＳＩＭカードに適用可能な形状に変更される。このようにして、カードが挿入されていない空のナノＳＩＭカードスロットを使用してデータ拡張機能を実行するために、本願ではカードホルダーを使用することにより、メモリカードを接続して拡張することができる。
【００３０】
図１は、本願の実施形態１によるカードホルダーの概略構造図である。この実施形態のカードホルダーは、ナノＳＩＭカード又はメモリカードの取付け及び接続に適用可能である。図１に示されるように、この実施形態のカードホルダーは、具体的には、ホルダー本体１と、複数の電気コネクタ２とを含む。ホルダー本体１には、形状とサイズとが両方ともナノＳＩＭカードに一致するカードスロット１１が配置される。カードスロット１１は、ナノＳＩＭカード又はナノＳＩＭカードと同じ外観を有するメモリカードを収容するように構成される。複数の電気コネクタ２の少なくともいくつかは、ナノＳＩＭカード内の電気接点の位置とその位置が一致する第１のコネクタ２１である。第１の電気コネクタ２１は、カードスロット１１に収容されたナノＳＩＭカード又はメモリカードに電気的に接続するように構成され、複数の電気コネクタ２は全て、メモリカードに電気的に接続するように構成される。
【００３１】
カードホルダーは、ナノＳＩＭカードを収容し、それに接続することができ、且つメモリカードに電気的に接続することもできる。カードホルダーをナノＳＩＭカード又はメモリカードに接続すると、様々な機能が対応して実行される。本願のメモリカードは、メモリカードとも呼ばれ得、主に半導体メモリを使用してデータ記憶機能を実行するデータメモリカードを指し、具体的には、ＳＤカードのデータインターフェイス仕様、マイクロＳＤカードのデータインターフェイス仕様等に準拠し得る。
【００３２】
例えば、ナノＳＩＭカードがカードホルダーのカードスロット１１に収容される場合に、カードホルダーは、ナノＳＩＭカードのコネクタとして使用される。モバイル装置等は、カードホルダーを使用して、ナノＳＩＭカードに格納されたユーザ識別情報を読み取る、又は新たなユーザ識別情報をナノＳＩＭカードの記憶領域に書き込むことができる。図２は、従来技術のナノＳＩＭカードの概略構造図である。図２に示されるように、ナノＳＩＭカードは、第４のフォームファクタ（form  factor）集積回路基板とも呼ばれ、その体積及びサイズは、現在のＳＩＭカード及びマイクロＳＩＭカードのサイズよりも小さく、サイズは１２ｍｍ×９ｍｍに過ぎず、それによって、ナノＳＩＭカードが比較的コンパクトな構造を有する。一般的なＳＩＭカードやマイクロＳＩＭカードと同様に、ナノＳＩＭカードは、中央処理装置（Central  Processing  Unit  :  CPU）、読み取り専用メモリ（Read  Only  Memory：ROM）、ランダムアクセスメモリ（Random  Access  Memory  :  RAM）、電気的に消去可能なプログラム可能な読み取り専用メモリ（Electrically  Erasable  Programmable  read  only  memory  :  EEPROM）、及び入出力（Input/Output  :  I/O）回路等の部品も含み、ナノＳＩＭカードのカード面に配置された電気接点（pin：ピン）を使用して外部回路に接続される。
【００３３】
ナノＳＩＭカードの形状が、図２に示され得る。ナノＳＩＭカードには６つの電気接点（ピン）があり、各電気接点は１つの信号を送信するために使用され、電気接点は、絶縁ギャップを介して互いに絶縁される。
【００３４】
ナノＳＩＭカード又はＳＩＭカード内の電気接点は、ナノポイントを指し、且つポイントカード又はＳＩＭカード内に特定の接触面積及び導電機能を有する接点を指す。
【００３５】
図２に示されるナノＳＩＭカード内の各電気接点の規定を表１に示す。
【表１】
2021513207.tif 000003
【００３６】
メモリカードがカードホルダーのカードスロット１１に収容されると、カードホルダーは、メモリカードに電気的に接続し、メモリカードの内部と外部との間のデータ送信及び交換を実行するように構成され得る。以下、カードホルダーのカードスロット１１に収容可能なメモリカードについて詳細に説明する。
【００３７】
図３は、本願の実施形態１によるメモリカードの概略構造図である。図３に示されるように、この実施形態のカードホルダーに収容可能なメモリカード本体の構造は、通常、ナノＳＩＭカードに一致する形状であるため、ナノＳＩＭカードを収容できるカードスロットにもメモリカードを収容することができる。本体に配置される記憶媒体は、通常、半導体記憶媒体であり、例えば画像、音声、映像、又はプログラム等の比較的大容量のデータを記憶し、メモリカードのデータ記憶及びデータ拡張等の機能を実行するように構成され得る。通常、記憶媒体は、不揮発性メモリ（不揮発性ＲＡＭ、ＮＶＲＡＭ）等であってもよい。
【００３８】
メモリカード内の記憶媒体を読み書きするために、メモリカードは接点を含む。接点は、記憶媒体に電気的に接続されており、外部接続ポート又は外部装置に接続するためのメモリカードの外部インターフェイスとして使用して、電気接続を確立し、メモリカードと外部との間のデータ送信を実行することができる。
【００３９】
また、メモリカードは、記憶媒体へのアクセス、管理、制御を行うためのレジスタ、コントローラ、ドライブ回路等をさらに含む。レジスタ、コントローラ、ドライブ回路の具体的な構造及び仕様は、既存のメモリカードと同様である。詳細はここでは説明しない。
【００４０】
メモリカードが、ナノＳＩＭカードと一致する形状であり、且つカードホルダーのカードスロット１１に収容可能であるため、メモリカードは、ナノＳＩＭとしてカードホルダーのカードスロットに挿入可能であり、カードが挿入されていない空のカードスロットを使用してメモリカードを取り付けて、接続を確立し、メモリカードと携帯端末との間のデータ送信を実行する。このようにして、メモリカードは、携帯端末に追加のデータストレージ及び拡張サービスを提供できる。
【００４１】
具体的には、メモリカードがナノＳＩＭカードと一致する形状を有することは、通常、メモリカードのサイズがナノＳＩＭカードのサイズと同様であることを意味する。この場合に、メモリカードの本体のサイズが十分に小さいので、ナノＳＩＭカードが配置され収容されるカードスロット１１もメモリカードを収容するように構成することができる。また、メモリカードの体積及びサイズが小さいため、依然としてメモリカードをカードスロット１１に固定することができる。つまり、別のアタッチメントに依存することなく、メモリカードの本体をカードスロット１１に直接固定することができる。このようにして、メモリカードをナノＳＩＭカードとしてカードスロット１１に配置し、固定することができる。これに対応して、カードホルダーのカードスロット１１の形状及びサイズがナノＳＩＭカードの通常の挿入及び収容を確実にすることができるのならば、メモリカードの収容及び固定を確実にすることができる。
【００４２】
通常、メモリカードをカードスロット１１により便利に取り付け又はカードスロット１１からメモリカードをより便利に取り外すために、メモリカードの形状は、通常、ナノＳＩＭカードの形状に近いか、又はこれに類似するように維持する必要がある。具体的には、通常、メモリカードの本体もナノＳＩＭカードと同様にシート状であり、本体の面積はナノＳＩＭカードの面積以下であってもよく、本体の厚みは、ナノＳＩＭカードの厚さよりも小さいか、等しいか、又は僅かに大きい場合等がある。この場合に、カードホルダーのカードスロット１１は、一般的なナノＳＩＭカードのカードスロットと同じ仕様及びサイズを有することができる。
【００４３】
オプションの構造において、メモリカードの本体の形状及びサイズは、それぞれ、ナノＳＩＭカードのものと同じである。この場合に、メモリカード及びナノＳＩＭカードの本体は、外観、サイズともに同じであり、両方のカードともフレーク状の直方体構造であり、直方体のサイズが１２ｍｍ×９ｍｍである。このようにして、カードホルダーのカードスロット１１によって形成される収容空間は、同じ外観、サイズ、及び仕様を維持することができ、その結果、ナノＳＩＭカードと、ナノＳＩＭカードと同様のサイズを有するメモリカードとの両方をカードスロット１１に置いて、カードスロット１１の多機能使用を実現することができる。
【００４４】
また、メモリカードと携帯端末又は別の外部装置とがデータ送信を実行できるようにするために、メモリカードは、外部と電気的に接続可能な接点を有する。メモリカードの互換性を高め、メモリカードの全体的な製造コスト及び設計コストを削減するために、メモリカードは、マイクロＳＤカード又はＳＤカードのインターフェイス及び物理仕様に準拠し、接点は、マイクロＳＤカード又はＳＤカードの外部インターフェイスパラメータにも準拠し得る。
【００４５】
オプションの実施態様では、メモリカード内の接点の数量はマイクロＳＤカード内のピンの数量と同じであり、接点とマイクロＳＤカード内のピンとは１対１の対応関係で配置される。このようにして、メモリカード内の接点は、マイクロＳＤカードのピン及びインターフェイス仕様に準拠できる。特に、マイクロＳＤカードには通常８つのピンがあるため、メモリカードにも８つの接点があり得る。また、メモリカード内の８つの接点は、それぞれマイクロＳＤカード内の８つのピンに対応する。
【００４６】
マイクロＳＤカード内の８つのピンと同様に、メモリカード内の８つの接点はそれぞれ：
ＣＬＫ：クロック信号。メモリカードのバスマネージャが０〜２５ＭＨｚの周波数を制限なく自由に生成できるようにする；
ＣＭＤ：コマンド及び応答の再利用ピン。外部装置のコントローラからメモリカードにコマンドを送信したり、又はメモリカードがコントローラのコマンドに応答したりできるようにする；
ＤＡＴ０〜ＤＡＴ３：メモリカードとコントローラとの間の双方向データ送信を実行するためのデータライン；
ＶＤＤ：メモリカードに電源アクセスを提供するために使用される；及び
ＧＮＤ：メモリカードの接地接続を確立するために使用される；
である。
【００４７】
このようにして、メモリカードは、マイクロＳＤカードの既存のインターフェイス規定及びデータ仕様に準拠することができ、メモリカードの接点は、マイクロＳＤカードの対応するピンと同じインターフェイス規定、電圧パラメータ、及びデータ仕様を使用することにより外部接続を確立し、それによって、携帯端末及び別の外部装置が、ソフトウェアインターフェイス及びデータ送信仕様を再規定する必要なしに、電気接続を確立し、メモリカードと携帯端末等の装置との間のデータ送信を実行することができる。
【００４８】
マイクロＳＤカード内の電気接点の数量が、ナノＳＩＭカード内の電気接点の数量よりも２だけ多いため、ナノＳＩＭカードと同じ外観及びサイズを有するメモリカードを使用してストレージ機能を実行する必要がある場合に、２つの電気接点を、図２に示されるナノＳＩＭカード内の６つの電気接点に追加する必要がある。本願のこの実施形態では、電気接点を分割するソリューションが使用される。つまり、ナノＳＩＭカード内の６つの電気接点から２つの電気接点が選択され、選択された各電気接点が２つの電気接点に分割され、メモリカードの８つの信号を送信する。
【００４９】
なお、本願のこの実施形態におけるメモリカードの形状及びサイズは、ナノＳＩＭカードのものと同じであるが、メモリカードの電気接点の規定は、マイクロＳＤカードのそれと同じであることに留意されたい。
【００５０】
また、本願のこの実施形態では、メモリカード内の電気接点の数量とナノＳＩＭカード内の電気接点の数量との間の差を考慮する必要があることに加えて、メモリカードの信号とナノＳＩＭカードの信号との間の対応関係をさらに制限する必要がある。つまり、カードインターフェイスがばねの場合に、ナノＳＩＭカードがカードインターフェイスに挿入されると、ばねを使用することにより送信される信号は制限され、それに応じて、メモリカードがカードインターフェイスに挿入されると、ばねを使用することにより送信される信号は制限される。
【００５１】
例えば、メモリカードの信号とナノＳＩＭカードの信号との対応関係は、以下の情報を考慮して設定され得る：
１．  メモリカード及びナノＳＩＭカードの電源ドメインは両方とも１．８Ｖ〜３．３Ｖである。従って、２つのカードの電源信号ＶＣＣと接地信号ＧＮＤを共有することができる。従って、ナノＳＩＭカードを挿入したときにＶＣＣ信号を送信するように構成されたばねが、メモリカードを挿入したときにメモリカードのＶＣＣ信号を送信するようにも構成されるように設定することができる。また、ナノＳＩＭカードを挿入したときにＧＮＤ信号を送信するように構成されたばねが、メモリカードを挿入したときにメモリカードのＧＮＤ信号を送信するようにも構成されるように設定することができる。メモリカード及びナノＳＩＭカードは同じ電源から電力供給を受けるため、ナノＳＩＭカード又はメモリカードがカードインターフェイスに挿入されているかどうかに関係なく、ＶＣＣ信号及びＧＮＤ信号をそれぞれの間で切り替える必要はない。
２．  メモリカード及びナノＳＩＭカードが動作する場合に、クロック信号を基準として使用する必要があることを考慮すると、２つのカードのクロック信号は、１つのばねを使用して時分割で送信されると考えられ得る。すなわち、ナノＳＩＭカードを挿入したときにＣＬＫ信号を送信するように構成されるばねは、メモリカードを挿入したときにメモリカードのＣＬＫ信号を送信するようにも構成されるように設定することができる。メモリカードのクロック信号がナノＳＩＭカードのクロック信号とは異なるため、２つのＣＬＫ信号を切り替えるためにアナログスイッチを配置する必要がある。ナノＳＩＭカードが挿入されると、アナログスイッチは、ナノＳＩＭカードのＣＬＫ信号に切り替え、及びメモリカードが挿入されると、アナログスイッチは、メモリカードのＣＬＫ信号に切り替える。
３．  ナノＳＩＭカードのＤＡＴ信号は、メモリカードのＤＡＴ１信号に対応するように設定され得、２つの信号（ＤＡＴ／ＤＡＴ１）を切り替えるために１つのアナログスイッチが配置される。ナノＳＩＭカードのＲＳＴ信号は、メモリカードのＤＡＴ０信号に対応するように設定され得、２つの信号（ＲＳＴ／ＤＡＴ０）を切り替えるために１つのアナログスイッチが配置される。ナノＳＩＭカードのＶＰＰ信号は、メモリカードのＣＭＤ信号に対応するように設定され得る。電子装置がＮＦＣ機能を有している場合に、２つの信号（ＶＰＰ／ＣＭＤ）を切り替えるために１つのアナログスイッチが配置され得る。或いは、電子装置がＮＦＣ機能を有していない場合に、ナノＳＩＭカードの使用中にＶＰＰ信号は関与しないため、信号切替えのためにアナログスイッチを配置する必要はない。
４．さらに、メモリカードのＤＡＴ２信号及びＤＡＴ３信号は、ナノＳＩＭカード内の電気接点を分割することによって得られる追加の２つの電気接点を使用することによって送信され得る。ＤＡＴ２信号及びＤＡＴ３信号がメモリカードでのみ使用されるため、信号切替えのためにアナログスイッチを配置する必要はない。
【００５２】
なお、上述したメモリカードの信号とナノＳＩＭカードの信号との間の対応関係は一例に過ぎないことに留意されたい。実際の実施態様では、これは前述した対応関係に限定されるものではない。つまり、本願のこの実施形態では、メモリカードの信号とナノＳＩＭカードの信号との間の対応関係は特に限定されるものではない。確かに、好ましくは、ナノＳＩＭカードのＶＣＣ信号がメモリカードのＶＣＣ信号に対応し、ナノＳＩＭカードのＧＮＤ信号がメモリカードのＧＮＤ信号に対応する場合に、実装はより容易になる。
【００５３】
また、別のオプションの実施態様では、メモリカード内の接点の数量は、ＳＤカード内のピンの数量と同じであってもよく、ＳＤカード内の接点及びピンは、１対１の対応関係で配置される。前述した実施態様と同様に、メモリカード内の接点も、ＳＤカード内のピンのインターフェイス規定及び仕様に準拠して、メモリカードの互換性を高め、メモリカードの全体的な製造コスト及び設計コストを削減できる。
【００５４】
メモリカード内の接点の数量がＳＤカード内のピンの数量と同じであり、接点がＳＤカード内のピンと１対１の対応関係である場合に、ＳＤカードには９つのピンがあり、特定のピン規定がマイクロＳＤカードのピン規定とは異なるので、それに対応して、メモリカードも９つの接点が必要であり、表２に示されるように、ＳＤカード内のピンと１対１の対応関係である。
【表２】
2021513207.tif 000004
【００５５】
従って、この実施形態のカードホルダーに接続可能なメモリカードは、ナノＳＩＭカードと同一又は類似の形状を有し、接点は、マイクロＳＤカード又はＳＤカードの既存の規定及び仕様に準拠し、データ送信中の共通性を向上させる。
【００５６】
接続中のカードホルダーの再利用性を改善するために、メモリカードの本体に対するメモリカード内の接点の位置は、通常、ナノＳＩＭカードに対するナノＳＩＭカード内の電気接点の位置に対応する。メモリカードを収容してこれに接続するために、カードホルダーは、複数の異なる形態の特定の構造も有する。以下、カードホルダーの構造について詳細に説明する。
【００５７】
具体的には、この実施形態のカードホルダーは、独立したコンポーネントであってもよく、又は携帯電話等の携帯端末に組み込まれてもよく、それによって携帯端末を、ナノＳＩＭカード又はメモリカードに接続することができる。カードホルダーは、ナノＳＩＭカード又はメモリカードを物理的に固定するように構成されたホルダー本体１と、電気的接続を確立するように構成された複数の電気コネクタ２とを含む。複数の電気コネクタ２の少なくともいくつかは、ナノＳＩＭカード内の電気接点の位置とその位置が一致し、且つナノＳＩＭカード又はメモリカードに電気的に接続するように構成できる第１のコネクタ２１である。ホルダー本体１には、ナノＳＩＭカード又はメモリカードを挿入するように構成されたカードスロット１１が配置される。カードスロット１１のサイズ及び形状は両方ともナノＳＩＭカードと一致する。このようにして、ナノＳＩＭカードとメモリカードとの両方は、カードスロット１１に収容することができ、カードスロット１１によって固定される。第１の電気コネクタ２１は、カードスロット１１に収容されたナノＳＩＭカード又はメモリカードに電気的に接続され、ナノＳＩＭカード又はメモリカードと外部装置との間の読み取り、書き込み、及びデータ送信を実行することができる。
【００５８】
カードホルダーのカードスロット１１は、複数の異なる形態又は構造、例えば、着脱可能な引き出し状の形態又は一体化された形態を有し得る。カードスロット１１の内部空間は、ナノＳＩＭカードと一致している。オプションの形態において、カードスロット１１の内部空間の形状及びサイズは、それぞれナノＳＩＭカードのものと同じであってもよい。このようにして、ナノＳＩＭカードをカードスロット１１に取り付けることができる。また、メモリカードがナノＳＩＭカードと同様又は同じ形状及びサイズを維持するため、メモリカードもカードホルダーのカードスロット１１にスムーズに取り付けることができる。
【００５９】
なお、カードスロット１１の内部空間の形状及びサイズがそれぞれナノＳＩＭカードの形状及びサイズと同じであるということは、通常、カードスロット１１の内部空間の形状がナノＳＩＭカードの形状と一致し、カードスロット１１の内部空間のサイズがナノＳＩＭカードのサイズより僅かに大きいことを意味することに留意されたい。このようにして、ナノＳＩＭカード又はメモリカードとカードスロット１１の内壁との間に特定の嵌合クリアランスがあるので、ナノＳＩＭカード又はメモリカードを、カードスロット１１にスムーズに取り付け、又はカードスロット１１から容易に取り外せる。
【００６０】
外部装置に接続してデータを送信するには、メモリカードとナノＳＩＭカードとの両方を電気コネクタ２を介して電気的に接続する必要がある。メモリカード内の接点とナノＳＩＭカード内の電気接点とが、通常、同じ又は異なる配置レイアウト及び位置を有することができるので、カードホルダーの複数の電気コネクタ２も複数の異なる構造及び配置形態を有することができ、メモリカード又はナノＳＩＭカードがカードスロット１１に配置された後に、メモリカード又はナノＳＩＭカードは、カードホルダーの一部又は全ての電気コネクタへの接続を維持できる。
【００６１】
カードホルダー内の少なくともいくつかの電気コネクタ２は、ナノＳＩＭカード内の電気接点の位置と一致するので、ナノＳＩＭカード内の電気接点の位置と一致する電気コネクタ、すなわち、第１の電気コネクタ２１は、ナノＳＩＭカードに電気的に接続するように構成され得る。また、カードホルダーの構造を簡素化するために、少なくともいくつかの電気コネクタは再利用可能な電気コネクタであり得る。このようにして、第１の電気コネクタ２１は、共通の電気コネクタとして、ナノＳＩＭカードに接続するように構成され得、且つメモリカード内の対応する接点に接触してこれに接続するようにさらに構成され得、それにより、電気コネクタ２の数量を減らし、且つカードホルダーの内部構造を効果的に簡素化する。この場合に、メモリカードがナノＳＩＭカード内の電気接点の配置位置に対応する第１の電気コネクタ２１にも電気的に接続できるようにするために、メモリカードの本体に対するメモリカード内の少なくともいくつかの接点の位置は、ナノＳＩＭカードに対するナノＳＩＭカード内の電気接点の位置と一致し続ける。
【００６２】
この場合に、カードホルダー内の少なくともいくつかの電気コネクタは、ナノＳＩＭカード内の電気接点に直接接続することができ、且つナノＳＩＭカードで情報を送信するように構成される。メモリカード内の接点は、第１の電気コネクタ２１の位置とはその位置が異なる他の電気コネクタに電気的に接続でき、又は、ナノＳＩＭカード内の電気接点の位置と一致する第１の電気コネクタを使用して、電気接続を確立することができ、それによって電気コネクタを再利用し、電気コネクタの全体的な数量を減らし、構造の複雑さを簡素化する。
【００６３】
図４は、本願の実施形態１によるカードホルダー内の電気コネクタの配置の概略図である。図４に示されるように、オプションの形態では、第１の電気コネクタ２１は、カードホルダー内のいくつかの電気コネクタのみであってもよい。この場合に、複数の電気コネクタは、第２の電気コネクタ２２を含む。第２の電気コネクタ２２の位置は、ナノＳＩＭカード内のいずれかの電気接点の位置に対応しない。
【００６４】
１つ又は複数の第２の電気コネクタ２２があってもよい。第２の電気コネクタ２２の位置とナノＳＩＭカード内の電気接点の位置とが互い違い（千鳥状）になっているため、第２の電気コネクタ２２は、ナノＳＩＭカードに接続するように構成することができないが、メモリカード内の接点にのみ接続するよう構成できる。この場合に、メモリカードの本体に対するメモリカード内のいくつかの接点の位置は、ナノＳＩＭカードに対するナノＳＩＭカード内の電気接点の位置に対応することができ、他の接点は、ナノＳＩＭカード内の電気接点の位置とは異なる位置に配置され、且つ第２の電気コネクタ２２と接触して電気的に接続される。
【００６５】
第２の電気コネクタ２２の位置とナノＳＩＭカード内の電気接点の位置とが互い違いになっているので、第２の電気コネクタ２２は、カードスロット１１の異なる面、例えば、カードスロット１１に配置されたメモリカードの表面の反対側の面、メモリカードの裏面の反対側の面、又はメモリカードの側部エッジの反対側の面に配置してもよい。オプションで、第２の電気コネクタ２２は、カード面に直交する方向でカードスロット１１内のナノＳＩＭカードの投影面積に配置される。図４に示されるように、第２の電気コネクタ２２が、第１の電気コネクタ２１と同じ側又は第１の電気コネクタ２１の反対側に配置されるので、メモリカードの場合に、第２の電気コネクタ２２に接続するための接点は、比較的広い領域のカード面に配置できる。具体的には、第２の電気コネクタ２２が、第１の電気コネクタ２１と同じ側、すなわちカードスロット１１の同じ側の内壁に配置される場合に、第２の電気コネクタ２２は、ナノＳＩＭカード内の電気接点の配置領域の外側に配置してもよい。つまり、メモリカードの本体に対するメモリカード内のいくつかの接点の位置は、ナノＳＩＭカードに対するナノＳＩＭカード内の電気接点の配置領域の外側の位置である。
【００６６】
図５は、本願の実施形態１によるカードホルダー内の電気コネクタの配置の別の概略図である。図５に示されるように、別のオプションの形態では、全ての電気コネクタ２は、ナノＳＩＭカード内の電気接点の位置とその位置が一致する第１の電気コネクタ２１であり得る。この場合に、カードホルダー内の全ての電気コネクタは第１の電気コネクタ２１である。従って、ナノＳＩＭカードをカードスロット１１に挿入すると、全ての電気コネクタ２は、ナノＳＩＭカード内の電気接点に接触して接続される。メモリカードをカードスロット１１に挿入すると、全ての電気コネクタ２が、ナノＳＩＭカード内の電気接点の位置と一致するカードスロットの位置にあるため、メモリカード内の接点は、ナノＳＩＭカード内の電気接点に対応する位置に均等に分布され、第１の電気コネクタ２１は、電気接続を確立し、データ送信を実行するために使用される。以下では、特に断らない限り、全ての電気コネクタが第１の電気コネクタ２１である例を用いて説明する。
【００６７】
図６は、本願の実施形態１によるカードホルダー内の電気コネクタとメモリカード内の接点との間の対応関係を示す概略図である。図７は、本願の実施形態１によるカードホルダー内の電気コネクタとナノＳＩＭカード内の電気接点との間の対応関係を示す概略図である。通常、メモリカードがマイクロＳＤカード又はＳＤカードの既存のインターフェイス仕様に準拠しているため、通常、メモリカードには８つ以上の接点があり、ナノＳＩＭカードには６つの電気接点がある。この場合に、電気コネクタの再利用度を向上させるために、オプションとして、ナノＳＩＭカード内の電気接点の位置とその位置が一致する第１の電気コネクタ２１において、ナノＳＩＭカード内の同じ電気接点の位置と一致する少なくとも２つの第１の電気コネクタが存在する。図６において、第１の電気コネクタ２１ｂはメモリカードのＶＣＣ接点に対応し、第１の電気コネクタ２１ａはメモリカードのＤ２接点に対応し、第１の電気コネクタ２１ｆはメモリカードのＧＮＤ接点に対応し、第１の電気コネクタ２１ｅはメモリカードのＤ３接点に対応し、第１の電気コネクタ２１ｃはメモリカードのＤ０接点に対応し、第１の電気コネクタ２１ｄはメモリカードのＣＬＫ接点に対応し、第１の電気コネクタ２１ｇはメモリカードのＣＭＤ接点に対応し、及び第１の電気コネクタ２１ｈはメモリカードのＤ１接点に対応する。図７において、第１の電気コネクタ２１ａと第１の電気コネクタ２１ｂとは両方ともナノＳＩＭカードのＶＣＣ接点に対応し、第１の電気コネクタ２１ｅと第１の電気コネクタ２１ｆとは両方ともナノＳＩＭカードのＧＮＤ接点に対応し、第１の電気コネクタ２１ｃはナノＳＩＭカードのＲＳＴ接点に対応し、第１の電気コネクタ２１ｄはナノＳＩＭカードのＣＬＫ接点に対応し、第１の電気コネクタ２１ｇはナノＳＩＭカードのＶＰＰ接点に対応し、及び第１の電気コネクタ２１ｈはナノＳＩＭカードのＩ／Ｏ接点に対応する。
【００６８】
この場合に、第１の電気コネクタ２１の数量は、メモリカード内の接点の数量と同じにすることができ、第１の電気コネクタ２１は、メモリカード内の接点と１対１の対応関係を維持する、つまり第１のコネクタは、メモリカード内の異なる接点に対応する。メモリカード内の接点の数量がナノＳＩＭカード内の電気接点の数量よりも多いため、ナノＳＩＭカード内の同じ電気接点の位置と一致する少なくとも２つの第１の電気コネクタが存在する。このようにして、２つの第１の電気コネクタ２１がナノＳＩＭカード内の同じ電気接点に一致し、対応する場合に、第１の電気コネクタ２１をナノＳＩＭカードに電気的に接続することができる。２つの第１の電気コネクタ２１がメモリカード内の２つの異なる接点に対応する場合に、第１の電気コネクタ２１をメモリカードに電気的に接続することができる。この場合に、第１の電気コネクタ２１の位置は、依然としてナノＳＩＭカード内の電気接点に対応することができ、それにより、電気コネクタを効果的に再利用し、カードホルダーの構造を簡素化する。
【００６９】
２つ以上の第１の電気コネクタは、同じ電気接点の位置と一致し得る。過剰な数の第１の電気コネクタ２１が同じ電気接点に一致して対応する場合に、第１の電気コネクタ２１と電気接点との間で偶発的な接続又は短絡等が発生する可能性がある。第１の電気コネクタ２１と電気接点との間に正常で信頼できる接続を確実にするために、オプションとして、最大２つの第１の電気コネクタが同じ電気接点の位置と一致してもよい。この場合に、同じ電気接点に対応する第１の電気コネクタ２１同士の間に適切なギャップがある。
【００７０】
第１の電気コネクタ２１がメモリカードとの通常の通信及びデータ送信を実行できるようにするために、第１の電気コネクタ２１は、メモリカード内の異なる接点との１対１の対応接続関係を維持しなければならず、ナノＳＩＭカード内の同じ電気接点の位置に一致する２つの第１の電気コネクタ２１は、メモリカード内の異なる接点に対応する。このようにして、同じ電気接点に対応して接続される第１の電気コネクタ２１は、通常、メモリカード内の異なる接点にも接続することができる。
【００７１】
この場合に、ナノＳＩＭカードには通常６つの電気接点があり、メモリカードには通常６つを超える（通常は８以上）接点があるので、カードホルダー内の第１の電気コネクタ２１の少なくとも２つは、ナノＳＩＭカード内の同じ電気接点を別の第１の電気コネクタと共有する必要があり、別の第１の電気コネクタは電気接点と１対１の対応関係を維持する。
【００７２】
このようにして、オプションで、複数の電気コネクタ２は、少なくとも２つの電気コネクタ・アセンブリを含むことができ、各電気コネクタ・アセンブリは、ナノＳＩＭカード内の同じ電気接点の位置に一致する少なくとも２つの第１の電気コネクタを含むので、ナノＳＩＭカード内の電気接点は、共通の電気接点であり、且つ異なる第１の電気コネクタに接続される。このようにして、第１の電気コネクタ２１の少なくともいくつかは、同じ共通の電気接点に接続される。
【００７３】
さらに、メモリカードには通常８つ又は９つの接点があるため、全ての電気コネクタにおいて、いくつかの第１の電気コネクタは同じ電気接点に接続される。すなわち、全ての電気コネクタにおいて、いくつかの第１の電気コネクタは電気コネクタ・アセンブリ内にあり、他の第１の電気コネクタは電気コネクタ・アセンブリ外にある。オプションの実施態様では、複数の電気コネクタは、２つの電気コネクタ・アセンブリを含み得る。２つの電気コネクタ・アセンブリ内の第１の電気コネクタ２１は、ナノＳＩＭカード内の同じ電気接点の位置に対応する。
【００７４】
メモリカード内の接点がマイクロＳＤカードのインターフェイス仕様に準拠する場合に、メモリカードには８つの接点がある。この場合に、メモリカード内の接点と１対１の対応関係で接続するために、カードホルダー内の第１の電気コネクタ２１の数量は、メモリカード内の接点の数量と同じであり、８つである。８つの第１の電気コネクタがナノＳＩＭカード内の６つの電気接点に対応することを可能にするために、オプションとして、各電気コネクタ・アセンブリは、同じ電気接点の位置と一致する２つの第１の電気コネクタを含む。このようにして、２つの電気コネクタ・アセンブリが設定され、各電気コネクタ・アセンブリ内の２つの第１の電気コネクタ２１が両方とも同じ電気接点に対応する方法に基づいて、第１の電気コネクタ２１は、ナノＳＩＭカード内の６つの電気接点に対応して一致することができ、且つメモリカード内の８つの接点に対応して一致することもできる。
【００７５】
当業者は、メモリカードに少なくとも８つの接点がある場合に、複数の電気コネクタ２が少なくとも２つの電気コネクタ・アセンブリを含むことができ、各電気コネクタ・アセンブリが同じ電気接点の位置に一致する少なくとも２つの第１の電気コネクタ２１も含むことができることを理解し得る。例えば、メモリカードに９つの接点がある場合に、カードホルダーの複数の電気コネクタ２には３つの電気コネクタ・アセンブリが含まれ、各電気コネクタ・アセンブリには、同じ電気コネクタの位置に対応する２つの第１の電気コネクタ２１が含まれる、或いは、カードホルダーの複数の電気コネクタ２には２つの電気コネクタ・アセンブリが含まれ、電気コネクタ・アセンブリの一方には同じ電気接点の位置に対応する２つの第１の電気コネクタ２１が含まれ、電気コネクタ・アセンブリの他方には同じ電気接点の位置に対応する３つの第１の電気コネクタ２１が含まれる。
【００７６】
さらに、図７に示されるように、少なくとも２つの電気コネクタ・アセンブリは、第１の電気コネクタ・アセンブリ２ａと、第２の電気コネクタ・アセンブリ２ｂとを含む。第１の電気コネクタ・アセンブリ２ａ内の第１の電気コネクタ２１ａ及び２１ｂは両方ともナノＳＩＭカード内のＶＣＣ接点の位置に一致し、第２の電気コネクタ・アセンブリ２ｂ内の第１の電気コネクタ２１ｅ及び２１ｆは両方ともナノＳＩＭカード内のＧＮＤ接点の位置に一致する。ＶＣＣ接点とＧＮＤ接点との両方が、ナノＳＩＭカードへの電力供給に使用され、データ及び情報の送信には使用されないためである。従って、複数の第１の電気コネクタがＶＣＣ接点又はＧＮＤ接点に一致して接続される場合に、異なる第１の電気コネクタによって占有される共通の電気接点は、データ信号を送信せず電源のための電気接点又は接地接点である。このようにして、カードホルダーがナノＳＩＭカードに接続されると、第１の電気コネクタ・アセンブリ２ａ又は第２の電気コネクタ・アセンブリ２ｂ内の第１の電気コネクタは両方とも、一定の電源信号を供給可能な接点に接続されるので、接点と第１の電気コネクタ２１との接続状態が容易に検出され、カードホルダーに挿入されたカードのタイプを識別する。また、２つ以上の第１の電気コネクタに接続された共通の電気接点は、ナノＳＩＭカードにおける電力供給のための電気接点である。電気接点は、変更されたデータ信号を送信せずに安定した電源のみを提供するため、異なる第１の電気コネクタが同じ共通の電気接点に接続される場合でも、ナノＳＩＭカードの読み取り及びデータ送信には影響を与えない。
【００７７】
さらに、カードホルダーの異なる特定の構造及びメモリカードの接点の構造に応じて、複数の第１の電気コネクタ２１は、ナノＳＩＭカード内の別の電気接点の位置と一致してもよく、例えば、ナノＳＩＭカード内のＶＰＰ接点及びＤＡＴ接点に一致して接続され、その対応する一致態様は上記と同様であり、詳細はここでは再び説明しない。
【００７８】
同じ電気接点の位置に一致する複数の電気コネクタ２が存在する場合に、カードホルダーの比較的限られた内部空間のために、複数の電気コネクタ２は適切に配置する必要がある。また、電気コネクタ２は、複数の異なる態様で配置してもよく、配置態様は、第１の電気コネクタ２１の配置方向及び配置ギャップ等であってもよい。オプションの配置態様では、各電気コネクタ・アセンブリ内の異なる第１の電気コネクタは異なる配置方向を有する。図８は、本願の実施形態１による電気コネクタの概略構造図である。図９は、図８のＡ部の部分拡大図である。図８に示されるように、カードホルダーは、連続して直列に配置され、且つナノＳＩＭカード又はメモリカードに接続して読み取るように構成され得る２つのカードスロットを含む。上記のカードスロットは一例である。上記のカードスロットでは、複数の第１の電気コネクタが２列で対称的に配置されており、各列の第１の電気コネクタ２１は離間している。各列は、複数の第１の電気コネクタ２１を含む１つの電気コネクタ・アセンブリを有しており、各列の第１の電気コネクタ２１では、電気コネクタ・アセンブリ内の第１の電気コネクタは異なる配置方向を有するので、第１の電気コネクタ２１は、互い違いに配置され、第１の電気コネクタ２１同士の間のギャップを減らす。従って、カードホルダーの限られたスペースでは、比較的多数量の電気コネクタを適切なギャップで配置することができる。電気コネクタの配置態様は、主に縦置きのカードホルダーに適用される。すなわち、カードスロットの長さ方向は情報カードの挿入方向と平行である。
【００７９】
さらに、第１の電気コネクタ２１は、通常、並べて配置される。例えば、図８に示されるように、限られたスペースを使用するために、電気コネクタ・アセンブリ内の２つの第１の電気コネクタ及び電気コネクタ・アセンブリ外の別の第１の電気コネクタは、同様の配置規則を維持し得る。オプションの態様では、各電気コネクタ・アセンブリは２つの第１の電気コネクタ２１を含み、２つの第１の電気コネクタ２１の一方と電気コネクタ・アセンブリ外の別の第１の電気コネクタの配置方向はまったく同じであり、他方の第１の電気コネクタと別の第１の電気コネクタの配置方向は逆である。具体的には、カードホルダー内の電気コネクタの数量を８に設定してもよく、８つの電気コネクタは２つの対称列に分割して配置され、各列には４つの第１の電気コネクタ２１がある。各列の４つの第１の電気コネクタ２１は、４つの第１の電気コネクタが互いに平行又は互いに略平行であり、各列が１つの電気コネクタ・アセンブリを含む状態を維持することができる。説明のために、電気コネクタ・アセンブリ２ｃの１列の電気コネクタを例として使用する。電気コネクタ・アセンブリ２ｃ内の２つの第１の電気コネクタの一方の第１の電気コネクタ２１ｉと電気コネクタ・アセンブリ内の他方の第１の電気コネクタ２１ｊとの配置方向は完全に逆であり、第１の電気コネクタのその列では、電気コネクタ・アセンブリ２ｃ外の他の第１の電気コネクタ２１ｋの配置方向は全て、第１の電気コネクタ２１ｉの配列方向と同じである。この場合に、各列の第１の電気コネクタ２１ｋ同士の間に比較的大きなギャップが維持され、通常はナノＳＩＭカードを読み取って動作し、電気接点と１対１の対応関係にあるメモリカード内の接点への電気接続を確立することができる。図８及び図９に示されるように、電気コネクタ・アセンブリ２ｃ内の第１の電気コネクタ２１ｉ及び他の第１の電気コネクタ２１ｊは両方とも同じ電気接点の領域に対応して配置されるので、電気コネクタ・アセンブリ内の第１の電気コネクタ２１ｉ及び他の第１の電気コネクタ２１ｊを互い違いにする必要があり、そのため電気コネクタ・アセンブリ２ｃ内の第１の電気コネクタ２１ｊの狭い方の端部２１１が他の第１の電気コネクタの付け根２１２の側に配置され得、電気コネクタ・アセンブリ２ｃ内の第１の電気コネクタ２１ｊの広い方の付け根２１３と、他の第１の電気コネクタの狭い方の端部２１４とが、並んで配置される。このようにして、第１の電気コネクタ２１同士の間に十分なギャップを維持して、第１の電気コネクタ２１と接点又は電気接点との間の偶発的な接触を回避することができる。
【００８０】
さらに、電気コネクタ・アセンブリ２ｃ内の第１の電気コネクタ２１ｉ及び２１ｊは、第１の電気コネクタ２１ｉ及び２１ｊが別の第１の電気コネクタと互い違いに配置される場合に、別の方向に沿って代替的に配置され、限られたペースで第１の電気コネクタ２１ｉ及び２１ｊを配置することができ、異なる第１の電気コネクタの間に十分なギャップが維持される。これはここでは限定されるものではない。
【００８１】
図１０は、本願の実施形態１による電気コネクタの別の概略構造図である。図１０に示されるように、別のオプションの配置態様では、各電気コネクタ・アセンブリに少なくとも１つの第１の電気コネクタがあり、少なくとも１つの第１の電気コネクタと電気コネクタ・アセンブリの外側の第１の電気コネクタとの間に異なるギャップがある。各電気コネクタ・アセンブリには、ナノＳＩＭカード内の同じ電気接点に一致して接続された２つ以上の第１の電気コネクタが含まれているため、ナノＳＩＭカード内の電気接点の面積及びサイズの違いが小さい場合に、同じ電気接点に対応する第１の電気コネクタ同士の間の比較的小さなギャップが存在し得、その結果、異なる第１の電気コネクタは同じ電気接点に対応して接続され、それによって偶発的な接続又は短絡を回避する。
【００８２】
具体的には、例として図１０を使用する。カードホルダーには８つの電気コネクタがあり、８つの電気コネクタは２つの対称列に分割して配置され、各列には４つの第１の電気コネクタ２１がある。各列の４つの第１の電気コネクタ２１は、４つの第１の電気コネクタが互いに平行又は互いに略平行であり、各列が１つの電気コネクタ・アセンブリを含む状態を維持することができる。説明のために、電気コネクタ・アセンブリ２ｄの１列の電気コネクタを例として使用する。電気コネクタ・アセンブリ２ｄには２つの第１の電気コネクタ２１ｍ及び２１ｎがあり、２つの第１の電気コネクタ２１ｍと２１ｎとの間のギャップは、電気コネクタの列の電気コネクタ・アセンブリ２ｄの外側の他の第１の電気コネクタ２１ｓ同士の間のギャップよりも小さい。このようにして、複数の第１の電気コネクタ２１を、限られた領域内の同じ電気接続点に対応して接続することができる。電気コネクタの配置態様は、通常、水平に配置されたカードホルダーに適用可能である。つまり、カードスロットの長さ方向は、情報カードの挿入方向に直交する。
【００８３】
さらに、同じ電気コネクタ・アセンブリ内の第１の電気コネクタ及び別の第１の電気コネクタは、異なる形状又は構造等を有し得、その結果、第１の電気コネクタは限られたスペースに収容され、第１の電気コネクタ同士の間に適切なギャップが存在する。具体的には、図１１は、本願の実施形態１によるメモリカード内の接点の位置の別の概略図である。接点の位置を図１１に示す。カードホルダーに収容されたメモリカード内の接点は、ナノＳＩＭカード内の電気接点の位置に対応している。しかしながら、接点の形状が不規則であるため、同じサイズの第１の電気コネクタをこれらの接点に１対１の対応関係で接続することは困難である。従って、メモリカード内の接点の位置に適応するために、オプションで、カードホルダーにおける電気コネクタ・アセンブリ内の少なくとも１つの第１の電気コネクタは、電気コネクタ・アセンブリの外側の第１の電気コネクタの形状とは異なる形状をしている。図１２は、本願の実施形態１による電気コネクタのさらに別の概略構造図である。図１２に示されるように、さらに別のオプションの配置態様では、電気コネクタ・アセンブリの外側の第１の電気コネクタの形状とは異なる形状を有する第１の電気コネクタが各電気コネクタ・アセンブリにある。例として図１２を使用する。２つの列に分割して配置される８つの電気コネクタがあり、各列には１つの電気コネクタ・アセンブリがある。各電気コネクタ・アセンブリには、ナノＳＩＭカード内の同じ電気接点の位置に対応する２つの第１の電気コネクタが含まれる。同じ電気コネクタ・アセンブリ内の１つの第１の電気コネクタは、電気コネクタ・アセンブリの外側の別の第１の電気コネクタと同じ外観及び構造を有しており、別の第１の電気コネクタは異なる構造を使用して、第１の電気コネクタを接点に１対１の対応関係で接続するのを確実にすることができる。具体的には、電気コネクタ・アセンブリ２ｅを例として使用すると、電気コネクタ・アセンブリ２ｅは、別の第１の電気コネクタ２１ｑと同じ外観及び構造を有する第１の電気コネクタ２１ｐを含み、且つその列の第１の電気コネクタ２１ｑの形状及び構造とそれぞれ異なる形状及び構造を有する第１の電気コネクタ２１ｏも含み、第１の電気コネクタ２１ｏの特別な形状を使用することによって接点に一致し、これに接続する。
【００８４】
具体的には、カードホルダー内の電気コネクタは、通常、ばね構造を有しており、電気コネクタの付け根は、通常、カードホルダーの本体に接続され、幅広である一方、電気コネクタの端部は、狭く、電気接点に当接することができる。このようにして、電気コネクタ２は、構造強度が比較的高く、比較的狭い範囲の接点及び電気接点領域に正確に接触し、電気的に接続することができる。
【００８５】
オプションで、ナノＳＩＭカード及びメモリカードをカードホルダーに取り付けるために、カードホルダーのホルダー本体１は、複数の異なる構造及び形態を有することもできる。現在のカードホルダーは、通常、比較的強い構造的完全性及び比較的高い携帯性要件を有する携帯端末等の機器に適用されるので、カードホルダーのカードスロット１１は、通常、挿入式設計を使用する。カードホルダーのオプションの構造において、カードホルダーのホルダー本体１は、通常、収容キャビティを含み得、カードホルダーは、収容キャビティに挿入可能なカードトレイをさらに含む。図１３は、本願の実施形態１によるカードトレイの概略構造図である。図１及び図１３に示されるように、カードトレイ１２は、カードホルダーのホルダー本体１に設けられた収容キャビティの開口部に挿入され、ナノＳＩＭカード又はメモリカードをカードスロット１１に収容することができる。カードトレイ１２は、ナノＳＩＭカードを収容可能な少なくとも１つの凹部１２１を含む。凹部１２１は、カードスロット１１の少なくとも部分的な内壁を形成する。このようにして、ナノＳＩＭカード又はメモリカードは、最初にカードトレイ１２の凹部１２１に配置され、次にカードトレイ１２が収容キャビティに挿入される。この場合に、ナノＳＩＭカード又はメモリカードを、カードトレイ１２及び収容キャビティによって取り囲まれたカードスロット１１に収容して、ナノＳＩＭカード又はメモリカードを取り付けることができる。
【００８６】
図１４ａは、本願の実施形態１による１つの凹部を有するカードトレイの第１の可能な概略構造図である。図１４ｂは、本願の実施形態１による１つの凹部を有するカードトレイの第２の可能な概略構造図である。図１４ａ及び図１４ｂに示されるように、オプションとして、カードトレイ１２は、１つの凹部１２１を含むことができ、凹部１２１の長さ方向は、カードトレイ１２の挿入方向と平行である又は直交する。凹部１２１は、１枚のナノＳＩＭカード又は１枚のメモリカードを収容するように構成される。また、凹部１２１の形状は、ナノＳＩＭカード又はメモリカードの形状と一致し続けているため、ナノＳＩＭカード又はメモリカードは、凹部１２１に固定される。
【００８７】
また、カードホルダーは、２枚以上のナノＳＩＭカード又はメモリカードに使用することもできる。このようにして、２枚のナノＳＩＭカードを両方ともカードホルダーに取付ける、又は１枚のナノＳＩＭカードと１枚のメモリカードとを混在して取り付ける形態を使用することで、比較的高い柔軟性を達成できる。図１５ａは、本願の実施形態１による２つの凹部を有するカードトレイの第１の可能な概略構造図である。図１５ｂは、本願の実施形態１による２つの凹部を有するカードトレイの第２の可能な概略構造図である。図１５ａ及び図１５ｂに示されるように、具体的には、この場合に、カードトレイ１２は、ナノＳＩＭカードを収容可能な少なくとも２つの凹部１２１を含み得、凹部１２１は、カードトレイ１２の挿入方向に沿って離間している。このようにして、ナノＳＩＭカード及びメモリカードは、それぞれ２つの凹部１２１に取り付けることができ、且つカードトレイ１２とともに収容キャビティに順次挿入される。図１５ａのカードトレイは、図８のカードホルダー及びカードスロットに使用することができる。
【００８８】
なお、２枚以上のナノＳＩＭカード又はメモリカードがカードホルダーに取り付けられる場合に、カードホルダー内の電気コネクタの数量も、取り付けられるカードの数量に基づいて乗算する必要があり、追加された電気コネクタの位置は、新しく追加されたカードの位置に対応し、一致する必要があることに留意されたい。
【００８９】
カードホルダーのカードトレイ１２がナノＳＩＭカード又はメモリカードを収容するように構成された２つ以上の凹部１２１を有する場合に、オプションとして、全ての凹部１２１の長さ方向は、カードトレイ１２の挿入方向と平行であってもよい。或いは、全ての凹部１２１の長さ方向は、カードトレイ１２の挿入方向に直交する。このようにして、ナノＳＩＭカード又はメモリカードは、凹部１２１内に比較的規則正しく配置され、電気コネクタ及び別の回路をカードホルダーに配置及び配列するのに役立つ。
【００９０】
ナノＳＩＭカード又はメモリカードを収容するように構成された凹部１２１は、複数の異なる構造及び形態も有し得る。例えば、オプションとして、凹部１２１は、片側が開口しており、反対側で底部が閉じた溝であってもよく、或いは凹部１２１は、カードトレイ１２全体を貫通する収容孔であってもよい。この場合に、ナノＳＩＭカード又はメモリカードは、収容孔の孔壁に応じて、カードトレイ１２に吊り下げられて固定される。
【００９１】
ナノＳＩＭカード及びメモリカードを収容孔に吊り下げて配置する、或いはナノＳＩＭカード又はメモリカードをカードトレイの２つの面のそれぞれに配置した状態でナノＳＩＭカード又はメモリカードを効果的に固定して位置付けするために、オプションの実施態様では、凹部１２１の内側に向けて突出する少なくとも１つの弾性クランプ部材１２１ａが、凹部１２１のエッジ部に配置される。凹部１２１の輪郭が、通常、ナノＳＩＭカードと一致する、又はナノＳＩＭカードの形状より僅かに大きいので、ナノＳＩＭカード又はメモリカードが凹部１２１に取り付けられると、弾性クランプ部材１２１ａは押し込まれ、弾性クランプ部材１２１ａは変形され、それによって弾性クランプ部材１２１ａは、弾性クランプ部材１２１ａの変形の弾性力の作用下でナノＳＩＭカード又はメモリカードのエッジ部に当接して、ナノＳＩＭカード又はメモリカードをクランプし、及びナノＳＩＭカード又はメモリカードを固定することができる。挿入側に近い凹部１２１の一端部が、さらに、金属ばね１２１ｂで配置されており、ナノＳＩＭカード又はメモリカードを凹部１２１に良好に支持して位置付けする。
【００９２】
また、弾性クランプ部材１２１ａは、プラスチック製の突起部であってもよい。プラスチックは弾力性に優れ、外力の作用下で比較的大きな変形が生じ、外力を取り除くと直ぐにリセットされるため、凹部１２１に収容されたナノＳＩＭカード又はメモリカードを良好に支持できる。さらに、プラスチックは硬度が比較的低く、ナノＳＩＭカード又はメモリカードの表面への損傷を回避する。
【００９３】
オプションで、プラスチック製の突起部は、カードトレイ１２に着脱可能に取り付け又は一体形成することができ、例えば、複数回射出成形を行う方法で実現することができる。
【００９４】
オプションで、１つ又は複数の弾性クランプ部材１２１ａが存在してもよく、複数の弾性クランプ部材１２１ａが存在する場合に、複数の弾性クランプ部材１２１ａは、凹部１２の周方向に沿って配置してもよい。
【００９５】
また、凹部１２１が底面を有する溝である場合に、凹部の底面には、例えばカードスロット内でのカードの配置方向を促すための識別子が付されてもよい。識別子は、レーザー彫刻又は印刷によって、凹部１２１の底面に設定してもよい。
【００９６】
凹部１２１の形成された溝底部が、通常、金属製のベースボードで形成されるため、電気コネクタ２の端部が金属製のベースボードに接触して短絡することを防止するために、凹部１２１の金属製のベースボードは、中空の回避領域を含んでさらに配置される。図１６は、本発明によるカードトレイの別の概略構造図である。図１６に示されるように、カードトレイの凹部１２１の底部は、通常、金属製のベースボードであり、金属製のベースボード上の対応する電気コネクタの位置には、中空領域１２１ｃが設けられる。中空領域１２１ｃは、「Ｔ」字型領域及び長方形領域を含み得る。２つの領域は、異なる電気コネクタの位置に対応する。このようにして、カードトレイがカードスロットに挿入され、電気コネクタの端部が中空領域１２１ｃに配置され、これにより、金属製のベースボードとの接触及び短絡が防止され、金属製のベースボードは、カードトレイを支持するのに十分な強度を有しており、変形を生じない。図１７は、本発明によるカードトレイのさらに別の概略構造図である。図１７に示されるように、カードトレイの凹部１２１の底部に配置された中空領域１２１ｃの一部は、凹部１２１のエッジ部と連通している。このようにして、中空領域１２１ｃの面積がより大きく、電気コネクタのレイアウト範囲がより広くなる。
【００９７】
この実施形態では、カードホルダーは、具体的には、ホルダー本体及び複数の電気コネクタを含む。ホルダー本体には、形状とサイズとの両方がナノＳＩＭカードに一致するカードスロットが配置される。カードスロットは、ナノＳＩＭカード又はナノＳＩＭカードと同じ外観を有するメモリカードを収容するように構成される。複数の電気コネクタの少なくともいくつかは、ナノＳＩＭカード内の電気接点の位置とその位置が一致する第１のコネクタであり、第１の電気コネクタは、カードスロットに収容されたナノＳＩＭカード又はメモリカードに電気的に接続するように構成される。複数の電気コネクタは全て、メモリカードに電気的に接続するように構成される。このようにして、カードホルダーはナノＳＩＭカードを収容するように構成でき、カードホルダーは、同じカードスロットを使用して、ナノＳＩＭカードと同様の形状を有するメモリカードを収容し、データ拡張及びデータ送信を実行することもできる。カードホルダーは比較的拡張性に優れている。
【００９８】
本願の実施形態２は、ＳＩＭカード、ナノＳＩＭカード、データを記憶するように構成された様々なタイプのメモリカード等を運ぶように構成されたカードトレイをさらに提供する。カードトレイには凹部があり、凹部に配置されたＳＩＭカード、ナノＳＩＭカード、ＳＤカード、マイクロＳＤカード、又は別のメモリカードを固定して位置付けし、凹部の内側に向けて突出する少なくとも１つの弾性クランプ部材が、凹部の内壁に配置される。このようにして、弾性クランプ部材は、凹部に配置された様々なタイプのカードを固定することができ、カードがカードトレイから脱落するのを防止する。具体的には、弾性クランプ部材の固定原理及び構造は、実施形態１のものと同様であり、詳細はここでは再び説明しない。
【００９９】
通常、固定効果を向上させるために、凹部の周方向に沿って配置され得る複数の弾性クランプ部材が存在する。
【０１００】
カードトレイには、ＳＩＭカード、マイクロＳＩＭカード、ナノＳＩＭカード、ＳＤカード、マイクロＳＤカード、及び上記カードと同様の形状を有する他のメモリカード等を配置することができ、それに対応して、カードトレイの凹部の形状はまた、通常、カードの形状に一致し、カードを略位置付けして固定する。
【０１０１】
ナノＳＩＭカード又はナノＳＩＭカードと同様の形状を有するメモリカードをカードトレイに配置すると、例えば、図１３に示されるように、カードトレイの形状及び構造が実施形態１のカードホルダーのカードスロットと一致し得る。
【０１０２】
凹部は、複数の形態を有してもよく、例えば、凹部は、フレーム形状の構造体及びベースボードによって取り囲まれてもよい。通常、構造上の強度を確保するために、ベースボードは、通常、金属製である。この場合に、カードホルダー内の電気コネクタがベースボードに接触して短絡するのを防ぐために、カードトレイの凹部のベースボードには、少なくとも２つの中空の回避領域がさらに配置され得、回避領域は、カードホルダー内の電気コネクタの位置に対応する。このようにして、カードトレイをカードスロットに挿入すると、カードホルダー内の電気コネクタの端部が、回避領域に配置され、ベースボードからずらされ、短絡を回避する。具体的には、回避領域は、異なる形状、例えば「Ｔ」字形又は長方形を有することができる。
【０１０３】
オプションで、２枚以上のＳＩＭカード、ナノＳＩＭカード、又はメモリカード等を配置するために、カードトレイは、互いに反対に配置された２つの凹部を有し得、２つの凹部の開口部は互いに離れており、２つの凹部はベースボードを共有してもよい。カードトレイの特定の形態は、図１３、図１６、及び図１７のカードトレイと同様であり得、詳細はここでは再び説明しない。
【０１０４】
図１８は、本願の実施形態３による携帯端末の概略構造図である。図１８に示されるように、この実施形態で提供される携帯端末１００は、具体的には、実施形態１のカードホルダー２００を含み、カードホルダー２００は、メモリカード又はナノＳＩＭカードの少なくとも一方を収容するように構成される。カードホルダー２００の特定の機能、構造、及び動作原理は全て、実施形態１で既に詳細に説明しており、詳細はここでは再び説明しない。
【０１０５】
本願のこの実施形態における携帯端末１００は、携帯電話、タブレットコンピュータ、携帯情報端末（Personal  Digital  Assistant  :  PDA）、販売時点管理（Point  of  Sales  :  POS）、車両コンピュータ等を含むことができる。
【０１０６】
携帯端末１００が携帯電話である例を用いる。図１９は、図１８の携帯端末が携帯電話である場合の内部の一部構造を示すブロック図である。図１９に示されるように、携帯端末１００は、無線周波数（Radio  Frequency  :  RF）回路１１０、メモリ１２０、別の入力装置１３０、表示画面１４０、センサ１５０、オーディオ回路１６０、Ｉ／Ｏサブシステム１７０、プロセッサ１８０、及び電源１９０等のコンポーネントを含む。当業者は、図１９に示される携帯電話の構造が、携帯電話への制限を構成するものではなく、携帯電話が、図に示されるものより多くのコンポーネント又は少ないコンポーネントを含んでもよく、いくつかのコンポーネントを組み合わしてもよく、いくつかのコンポーネントを分割してもよく、又は別のコンポーネントの配置（展開）を使用してもよいことを理解し得る。当業者は、表示画面１４０がユーザインターフェイス（User  Interface  :  UI）であり、携帯端末１００が、図に示されるものよりも多くのユーザインターフェイス又はより少ないユーザインターフェイスを含み得ることを理解し得る。
【０１０７】
以下、図１９を参照して、携帯端末１００のコンポーネントについて詳細に説明する。
【０１０８】
ＲＦ回路１１０は、情報を受信及び送信する、又は通話中に信号を受信及び送信するように構成され得る。特に、ＲＦ回路は、基地局からダウンリンク情報を受信し、次に、ダウンリンク情報を処理のためにプロセッサ１８０に伝達し、関連するアップリンクデータを基地局に送信する。通常、ＲＦ回路は、限定されるものではないが、アンテナ、少なくとも１つの増幅器、トランシーバ、カプラ、低雑音増幅器（Low  Noise  Amplifier  :  LNA）、デュプレクサ等を含む。また、ＲＦ回路１１０は、無線通信を介してネットワーク及び別の装置とさらに通信することができる。ワイヤレス通信は、限定されるものではないが、モバイル通信のグローバルシステム（Global  System  of  Mobile  communication  :  GSM）、汎用パケット無線サービス（General  Packet  Radio  Service  :  GPRS）、符号分割多元接続（Code  Division  Multiple  Access  :  CDMA）、広帯域符号分割多元接続（Wideband  Code  Division  Multiple  Access  :  WCDMA）、ロングターム・エボリューション（Long  Term  Evolution  :  LTE）、電子メール、ショートメッセージングサービス（Short  Messaging  Service  :  SMS）等を含む任意の通信規格又はプロトコルを使用できる。
【０１０９】
メモリ１２０は、ソフトウェアプログラム及びモジュールを格納するように構成され得、プロセッサ１８０は、メモリ１２０に格納されたソフトウェアプログラム及びモジュールを実行して、携帯端末１００の様々な機能アプリケーション及びデータ処理を実行する。メモリ１２０は、主に、プログラム記憶領域及びデータ記憶領域を含み得る。プログラム記憶領域は、オペレーティングシステム、少なくとも１つの機能（例えば、音声再生機能及び画像表示機能等）に必要なアプリケーション・プログラム等を記憶することができる。データ記憶領域には、携帯端末１００の使用に応じて作成されたデータ（音声データ及びアドレス帳等）を記憶してもよい。さらに、メモリ１２０は、高速ランダムアクセスメモリを含むことができ、少なくとも１つの磁気ディスク記憶装置、フラッシュメモリ装置等の不揮発性メモリ、又は別の揮発性固体記憶装置をさらに含むことができる。
【０１１０】
別の入力装置１３０は、入力数字又は文字情報を受け取り、ユーザ設定及び携帯端末１００の機能制御に関連するキー信号入力を生成するように構成され得る。具体的には、別の入力装置１３０は、限定されるものではないが、物理キーボード、機能キー（例えば、音量制御キー、電源オン／オフキー）、トラックボール、マウス、ジョイスティック、又は光学式マウス（光学式マウスは、目に見える出力を表示しないタッチ感知面、又はタッチスクリーンによって形成されたタッチ感知面の延長）の１つ又は複数を含み得る。別の入力装置１３０は、Ｉ／Ｏサブシステム１７０内の別の入力装置コントローラ１７１に接続され、別の装置入力コントローラ１７１の制御下でプロセッサ１８０と信号を交換する。
【０１１１】
表示画面１４０は、ユーザにより入力された情報又はユーザに提供される情報、及び携帯端末１００の様々なメニューを表示するように構成され得、ユーザ入力をさらに受け入れ得る。具体的には、表示画面１４０は、表示パネル１４１及びタッチパネル１４２を含み得る。表示パネル１４１は、液晶ディスプレイ（Liquid  Crystal  Display  :LCD）、有機発光ダイオード（Organic  Light  Emitting  Diode  :  OLED）等を用いて構成してもよい。タッチパネル１４２は、タッチスクリーン、タッチ感知スクリーン等とも呼ばれ、タッチパネル上又はその付近でのユーザのタッチ操作又は非タッチ操作（指又はスタイラス等の適切なオブジェクト又はアクセサリを使用する、又は分離制御操作及びマルチポイント制御操作等の操作タイプを含むモーション感知操作を含めることにより、タッチパネル１４２上又はタッチパネル１４２の付近のユーザの操作等）を収集することができ、予め設定されたプログラムに従って対応する接続機器を駆動する。オプションで、タッチパネル１４２は、タッチ検出機器及びタッチコントローラの２つの部分を含むことができる。タッチ検出機器は、ユーザのタッチ位置及びジェスチャを検出し、タッチ操作により発生した信号を検出して、この信号をタッチコントローラに転送する。タッチコントローラは、タッチ検出機器からタッチ情報を受信し、タッチ情報をプロセッサが処理できる情報に変換して、この情報をプロセッサ１８０に送信し、プロセッサ１８０が送信したコマンドを受信してこのコマンドを実行することができる。また、タッチパネル１４２は、抵抗式、静電容量式、赤外線式、又は表面音波式のタッチパネルであってもよく、或いは、タッチパネル１４２は、今後開発される技術を用いて実現してもよい。また、タッチパネル１４２は、表示パネル１４１を覆ってもよい。ユーザは、表示パネル１４１に表示される内容（表示内容は、ソフトキーボード、仮想マウス、仮想キー、アイコン等を含むが、これらに限定されるものではない）に従って、表示パネル１４１を覆うタッチパネル１４２上で又はその付近で操作を行うことができる。タッチパネル１４２は、タッチパネル１４２上又はその付近でのタッチ操作を検出した後に、Ｉ／Ｏサブシステム１７０を使用してタッチ操作をプロセッサ１８０に転送し、タッチイベントのタイプを決定し、ユーザ入力を決定する。続いて、プロセッサ１８０は、タッチイベントのタイプに従って、及びＩ／Ｏサブシステム１７０を使用することによるユーザ入力に従って、対応する視覚的出力を表示パネル１４１上に提供する。図１９では、タッチパネル１４２及び表示パネル１４１が、移動端末１００の入出力機能を実行するための２つの別個の部品として使用されるが、いくつかの実施形態では、タッチパネル１４２及び表示パネル１４１は、携帯端末１００の入出力機能を実行するために統合され得る。
【０１１２】
携帯端末１００は、光学センサ、モーションセンサ、及び他のセンサ等の少なくとも１つのセンサ１５０をさらに含み得る。具体的には、光学センサは、周辺光センサ及び近接センサを含み得る。周辺光センサは、周辺光の明るさに基づいて表示パネル１４１の輝度を調整することができる。近接センサは、携帯端末１００が耳に動かされたときに、表示パネル１４１及び／又はバックライトをオフに切り替えることができる。１つのタイプのモーションセンサとして、加速度センサは、様々な方向（通常は、３軸）の加速度の大きさを検出でき、端末１００が静止しているときに重力の大きさ及び方向を検出でき、携帯電話の姿勢（例えば、横向きと縦向きとの間の切り替え、関連するゲーム、磁力計のジェスチャ較正）、及び振動認識に関連する機能（歩数計及びタップ等）等を認識するようなアプリケーションに適用できる。携帯端末１００のためにさらに構成され得るジャイロスコープ、気圧計、湿度計、温度計、及び赤外線センサ等の他のセンサについては、本明細書では詳細を説明しない。
【０１１３】
オーディオ回路１６０、スピーカ１６１、及びマイク１６２は、ユーザと携帯端末１００との間のオーディオ・インターフェイスを提供し得る。オーディオ回路１６０は、受信したオーディオデータを信号に変換し、この信号をスピーカ１６１に送信し得る。スピーカ１６１は、信号を音声信号に変換して出力する。一方、マイク１６２は、収音された音声信号を信号に変換する。オーディオ回路１６０は、信号を受信し、この信号をオーディオデータに変換し、オーディオデータをＲＦ回路１０８に出力して、オーディオデータを例えば別の携帯電話に送信するか、又はオーディオデータをさらに処理するためにメモリ１２０に出力する。
【０１１４】
Ｉ／Ｏサブシステム１７０は、入出力周辺装置を制御するように構成され、別の装置入力コントローラ１７１、センサコントローラ１７２、及び表示コントローラ１７３を含むことができる。オプションで、１つ又は複数の別の入力制御装置コントローラ１７１は、別の入力装置１３０から信号を受信し、及び／又は別の入力装置１３０に信号を送信する。別の入力装置１３０は、物理ボタン（押しボタン、ロッカーボタン等）、ダイヤルパッド、スライダースイッチ、ジョイスティック、クリック・スクロール・ホイール、又は光学式マウス（光学式マウスは、目に見える出力を表示しないタッチ感知面、又はタッチスクリーンによって形成されるタッチ感知面の延長である）を含み得る。なお、別の入力制御装置コントローラ１７１は、上述した装置の１つ又は複数に接続してもよいことに留意されたい。Ｉ／Ｏサブシステム１７０内の表示コントローラ１７３は、表示画面１４０から信号を受信し、及び／又は表示画面１４０に信号を送信する。表示画面１４０がユーザ入力を検出した後に、表示コントローラ１７３は、検出したユーザ入力を、表示画面１４０に表示されるユーザインターフェイス・オブジェクトとのインタラクションに変換する。具体的には、マンマシン・インタラクションが実行される。センサコントローラ１７２は、１つ又は複数のセンサ１５０から信号を受信することができ、及び／又は１つ又は複数のセンサ１５０に信号を送信することができる。
【０１１５】
プロセッサ１８０は、携帯端末１００の制御センターであり、且つ様々なインターフェイス及び回線を使用することにより携帯電話の様々な部分に接続される。メモリ１２０に格納されたソフトウェアプログラム及び／又はモジュールを実行又は起動し、メモリ１２０に格納されたデータを呼び出すことにより、プロセッサ１８０は、携帯端末１００の様々な機能及びデータ処理を実行し、それによって携帯電話の全体的な監視を実行する。オプションで、プロセッサ１８０は、１つ又は複数の処理ユニットを含むことができる。好ましくは、プロセッサ１８０は、アプリケーション・プロセッサ及びモデム・プロセッサを統合することができる。アプリケーション・プロセッサは、主にオペレーティングシステム、ユーザインターフェイス、アプリケーション・プログラム等を処理する。モデム・プロセッサは主にワイヤレス通信を処理する。前述のモデム・プロセッサは、代替的にプロセッサ１８０に統合しなくてもよいことが理解され得る。
【０１１６】
携帯端末１００は、コンポーネントに電力を供給するための電源１９０（バッテリー等）をさらに含む。好ましくは、電源は、電力管理システムを使用することによりプロセッサ１８０に論理的に接続され得、それによって、電力管理システムを使用して、充電、放電、及び電力消費管理等の機能を実行する。
【０１１７】
図示していないが、携帯端末１００は、カメラ、及びブルートゥース（登録商標）モジュール等をさらに含んでもよいが、詳細はここでは再び説明しない。
【０１１８】
この実施形態の携帯端末１００では、ナノＳＩＭカード及びメモリカードを接続し、カードホルダー２００を使用することによりデータを送信し、ユーザ識別、データ送信、データ拡張等の機能を実行している。カードホルダー２００は、ナノＳＩＭカードを取り付けるように構成することができ、メモリカードを取り付けるように構成することもでき、通常の電気的接続を確立し、ナノＳＩＭカード又はメモリカードとのデータ送信を実行し、それによりナノＳＩＭカード又はメモリカードの通常の使用を確実する。
【０１１９】
メモリカード内の接点が電気的接続を確立するためにも使用されるため、説明を簡単にするために、メモリカード内の接点とナノＳＩＭカード内の電気接点とが同じタイプの電気接点として見なされることについて以下で説明する。オプションの実施態様では、携帯端末１００は、識別回路及びスイッチング回路（図示せず）をさらに含むことができる。識別回路とスイッチング回路とは両方ともカードホルダー２００に電気的に接続される。スイッチング回路は、メモリカード又はナノＳＩＭカード内の同じ電気接点に一致する少なくとも２つの電気コネクタがカードホルダー２００に存在する場合に、識別回路をＳＩＭカード識別モードに切り替える；又は、カードホルダー２００内の電気コネクタが電気接点と１対１の関係で一致する場合に、識別回路をメモリカード識別モードに切り替える；ように構成される。
【０１２０】
具体的には、ナノＳＩＭカードとメモリカードとの両方に特定のデータ又は情報があり、それによってナノＳＩＭカードとメモリカードとの両方は、カードホルダー２００へのデータ接続を確立して情報をカードホルダー２００と交換するための情報カードと見なすことができる。ナノＳＩＭカード及びメモリカードがそれぞれ異なる機能を有するため、携帯端末１００はカードホルダー２００内の情報カードのタイプを判別する必要があり、異なる情報カードに応じて異なる識別モードが互いに切り替えられる。具体的には、メモリカード内の電気接点の数量は、ナノＳＩＭカード内の電気接点の数量とは異なり、メモリカード内の電気接点の数量は、ナノＳＩＭカード内の電気接点の数量よりも多い。従って、カードホルダー２００に挿入されたカードがナノＳＩＭカードである場合に、２つ以上の電気コネクタは、情報カードの同じ電気接点に常に対応して接続される。この場合に、スイッチング回路は、各電気コネクタの電気信号状態を検出して、２つ以上の電気コネクタが同じ電気接点に接続されていると判定し、それによってカードホルダー２００内の情報カードがナノＳＩＭカードであると知ることができる。このようにして、識別回路は、カードを識別するためにＳＩＭカード識別モードに切り替えることができる。
【０１２１】
あるいは、電気コネクタが全て、異なる電気接点に対応して接続される場合に、スイッチング回路は、電気コネクタ上の電気信号を検出して、カードホルダー２００に収容される情報カードがメモリカードであると知ることができ、それによって識別回路は、接続を確立してデータ送信を実行するために、メモリカード識別モードに切り替えられ得る。このようにして、携帯端末は、カードホルダーのカードスロットに挿入された情報カードを判別し、それにより正しい接続を確立し、データ送信を行うことができる。
【０１２２】
携帯端末１００におけるスイッチング回路及び識別回路は、携帯端末のプロセッサ又は他の回路に配置してもよい。詳細はここでは再び説明しない。
【０１２３】
この実施形態では、携帯端末は、具体的にはカードホルダーを含む。カードホルダーは、メモリカード又はナノＳＩＭカードの少なくとも１つを収容するように構成される。カードホルダーは、具体的には、ホルダー本体及び複数の電気コネクタを含む。ホルダー本体には、形状とサイズとの両方がナノＳＩＭカードに一致するカードスロットが配置される。カードスロットは、ナノＳＩＭカード又はナノＳＩＭカードと同じ外観を有するメモリカードを収容するように構成される。複数の電気コネクタの少なくともいくつかは、ナノＳＩＭカード内の電気接点の位置とその位置が一致する第１のコネクタであり、第１の電気コネクタは、カードスロットに収容されたナノＳＩＭカード又はメモリカードに電気的に接続するように構成される。複数の電気コネクタは全て、メモリカードに電気的に接続するように構成される。このようにして、携帯端末は、ナノＳＩＭカードと、ナノＳＩＭカードと同様の形状を有するメモリカードとの両方を使用して、データ拡張及びデータ送信を実行することができる。携帯端末は比較的拡張性に優れている。
【０１２４】
図２０は、本願の実施形態４による情報識別方法の概略フローチャートである。この実施形態の情報識別方法は、実施形態１のカードホルダー又は実施形態２の携帯端末に接続される携帯装置に適用してもよい。実施形態１及び実施形態２のカードホルダーに収容された情報カードが識別され、カードホルダー内のナノＳＩＭカード又はメモリカードを判別し、及び対応するデータ操作を実行する。具体的には、図２０に示されるように、この実施形態で提供される情報識別方法は、具体的には以下のステップを含むことができる。
【０１２５】
Ｓ１０１：情報カードがカードホルダーに挿入されると、情報カードのタイプを決定する。
【０１２６】
実施形態１又は実施形態２のカードホルダーが、ナノＳＩＭカードの形状に一致するカードスロットを有しているため、ナノＳＩＭカードと、ナノＳＩＭカードと同様の形状のメモリカードとの両方をカードスロットに挿入することができる。このようにして、カードスロット内の情報カードのタイプを決定及び識別する必要があり、それによりカードホルダー又は携帯端末が対応するデータ接続機能を実行する。
【０１２７】
Ｓ１０２：情報カードのタイプに基づいて情報カード識別モードを切り替え、カードホルダー及び情報カードがデータ送信を行う。
【０１２８】
情報カードのタイプが取得された後に、カードホルダー識別モードは、情報カードのタイプに基づいて対応して切り替えられ、その結果、カードホルダーは、データ接続を確立し、対応する電気接続関係及びインターフェイス仕様に基づいてデータを情報カードに送信する。具体的には、カードスロット内の情報カードがメモリカードである場合に、カードホルダーは、メモリカード識別モードを使用して接続される。この場合に、情報カードを識別してデータを送信するように構成される回路は、メモリカードの接続仕様に対応した回路に切り替えられる。回路のインターフェイス規定及びインターフェイス電圧等のパラメータは全て、マイクロＳＤカード又はＳＤカード等に適用可能である。カードスロット内の情報カードがナノＳＩＭカードである場合に、カードホルダーは、ＳＩＭカード識別モードを使用して接続される。この場合に、情報カードを識別するように構成される回路は、ＳＩＭカードに接続するための専用回路に切り替えられる。回路のインターフェイス規定及びインターフェイス電圧等のパラメータは、ナノＳＩＭカードを読み取り、識別するために、ナノＳＩＭカード内の電気接点と１対１の対応関係である。
【０１２９】
図２１は、本願の実施形態４による情報カードのタイプを決定する概略フローチャートである。図２１に示されるように、オプションとして、情報カードのタイプが決定されるとき、以下の特定のステップが使用され得る。
【０１３０】
Ｓ２０１：情報カードがカードホルダーに挿入されると、カードホルダー内の電気コネクタと情報カード内の電気接点との間の接続関係を検出する。
【０１３１】
メモリカード内の接点が電気的接続を確立するためにも使用されるため、説明を簡単にするために、メモリカード内の接点とナノＳＩＭカード内の電気接点とが同じタイプの電気接点と見なされることについて以下で説明する。ナノＳＩＭカードとメモリカードとには異なる数量の電気接点があるため、異なるタイプの情報カードがカードホルダーのカードスロットに収容される場合に、カードホルダー内の電気コネクタは異なる電気接点に対応して接触を行い、接続を確立し、そして、電気コネクタは、情報カード内の同じ電気接点又は異なる電気接点に対応して接続される。以下のステップＳ２０２又はステップＳ２０３は、情報カードのタイプを決定するために、電気コネクタの異なる接続状態に基づいて以下のように対応して実行され得る。
【０１３２】
Ｓ２０２：少なくとも２つの電気コネクタが同じ電気接点に接続される場合に、情報カードのタイプがナノＳＩＭカードであると決定する。
【０１３３】
Ｓ２０３：電気コネクタが異なる電気接点に接続される場合に、情報カードのタイプがメモリカードであると決定する。
【０１３４】
カードホルダーが、ナノＳＩＭカードとメモリカードとの両方の接続に適用可能にする必要があるので、カードホルダーは、情報カードに接続するために、十分な電気コネクタを有する必要がある。この場合に、電気接点の数量と、比較的多い数量の電気接点を有する情報カード内の電気コネクタの数量との間の一致を維持すべきである。
【０１３５】
このようにして、２つ以上の電気コネクタが情報カード内の同じ電気接点に接続される場合に、それは、情報カード内の電気接点の数量がカードホルダー内の電気コネクタの数量より少ないことを示す。この場合に、カードスロットに取り付けられた情報カードが、比較的少ない数量の電気接点を有するナノＳＩＭカードであると判断できる。カードホルダー内の電気コネクタが情報カード内の電気接点と１対１の対応関係である場合に、それは、比較的多い数量の電気接点を有する情報カード、すなわちメモリカードがカードスロットに存在することを示す。
【０１３６】
この実施形態では、情報識別方法は、具体的には以下のステップを含み得る。情報カードがカードホルダーに挿入されると、最初に情報カードのタイプを決定する。次に、情報カードのタイプに基づいて、情報カードに関するカードホルダーの識別モードを切り替え、それによってカードホルダー及び情報カードがデータ送信を行う。このようにして、ナノＳＩＭカード又はメモリカードを同じカードホルダーに挿入し、対応する識別を実行して、ユーザ識別又はデータ拡張を実行することができる。情報識別方法は、比較的拡張性に優れている。
【図１】
2021513207.tif 000005
【図２】
2021513207.tif 000006
【図３】
2021513207.tif 000007
【図４】
2021513207.tif 000008
【図５】
2021513207.tif 000009
【図６】
2021513207.tif 000010
【図７】
2021513207.tif 000011
【図８】
2021513207.tif 000012
【図９】
2021513207.tif 000013
【図１０】
2021513207.tif 000014
【図１１】
2021513207.tif 000015
【図１２】
2021513207.tif 000016
【図１３】
2021513207.tif 000017
【図１４ａ】
2021513207.tif 000018
【図１４ｂ】
2021513207.tif 000019
【図１５ａ】
2021513207.tif 000020
【図１５ｂ】
2021513207.tif 000021
【図１６】
2021513207.tif 000022
【図１７】
2021513207.tif 000023
【図１８】
2021513207.tif 000024
【図１９】
2021513207.tif 000025
【図２０】
2021513207.tif 000026
【図２１】
2021513207.tif 000027
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
ホルダー本体及び複数の電気コネクタを含むカードホルダーであって、
該カードホルダーには、ナノＳＩＭカードに一致するカードスロットが配置され、
前記カードスロットは、前記ナノＳＩＭカード又は該ナノＳＩＭカードと同じ外観を有するメモリカードを収容するように構成され、
前記複数の電気コネクタの少なくともいくつかは、前記ナノＳＩＭカード内の電気接点の位置とその位置が一致する第１の電気コネクタであり、
該第１の電気コネクタは、前記カードスロットに収容された前記ナノＳＩＭカード又は前記メモリカードに電気的に接続するように構成され、及び
前記複数の電気コネクタは全て、前記メモリカードに電気的に接続するように構成される、
カードホルダー。
【請求項２】
全ての前記電気コネクタは、前記ナノＳＩＭカード内の前記電気接点の前記位置とその位置が一致する第１の電気コネクタである、請求項１に記載のカードホルダー。
【請求項３】
少なくとも２つの第１の電気コネクタの位置が、同じ電気接点の位置と一致する、請求項２に記載のカードホルダー。
【請求項４】
前記少なくとも２つの第１の電気コネクタは、前記メモリカード内の異なる接点に対応する、請求項３に記載のカードホルダー。
【請求項５】
前記複数の電気コネクタは、少なくとも２つの電気コネクタ・アセンブリを含み、各電気コネクタ・アセンブリは、同じ電気接点の位置に一致する少なくとも２つの第１の電気コネクタを含む、請求項３又は４に記載のカードホルダー。
【請求項６】
各電気コネクタ・アセンブリが、同じ電気接点の位置に一致する２つの第１の電気コネクタを含む、請求項５に記載のカードホルダー。
【請求項７】
前記少なくとも２つの電気コネクタ・アセンブリは、第１の電気コネクタ・アセンブリ及び第２の電気コネクタ・アセンブリを含み、
前記第１の電気コネクタ・アセンブリ内の各第１の電気コネクタが、前記ナノＳＩＭカード内のＶＣＣ接点の位置と一致し、及び
前記第２の電気コネクタ・アセンブリ内の各第１の電気コネクタが、前記ナノＳＩＭカード内のＧＮＤ接点の位置と一致する、請求項５又は６に記載のカードホルダー。
【請求項８】
前記電気コネクタ・アセンブリ内の前記第１の電気コネクタは、異なる態様で配置される、及び／又は
各電気コネクタ・アセンブリは、前記電気コネクタ・アセンブリの外側の第１の電気コネクタの形状とは形状が異なる第１の電気コネクタを有する、請求項５又は６に記載のカードホルダー。
【請求項９】
前記複数の電気コネクタは第２の電気コネクタを含み、
前記第２の電気コネクタの位置が、前記ナノＳＩＭカード内のいかなる電気接点の位置にも対応しない、請求項１に記載のカードホルダー。
【請求項１０】
前記第２の電気コネクタは、カード面に直交する方向で、当該カードホルダーにおける前記ナノＳＩＭカードの投影面積に配置される、請求項９に記載のカードホルダー。
【請求項１１】
前記電気コネクタはばねである、請求項１乃至１０のいずれか一項に記載のカードホルダー。
【請求項１２】
前記ホルダー本体は収容キャビティを含み、
当該カードホルダーは、前記収容キャビティに挿入可能なカードトレイを含み、
該カードトレイは、前記ナノＳＩＭカードを収容可能な凹部を含み、及び
該凹部は、前記カードスロットの少なくとも部分的な内壁を形成する、請求項１乃至１１のいずれか一項に記載のカードホルダー。
【請求項１３】
前記カードトレイは、１つの凹部を含み、
該凹部の長さ方向は、前記カードトレイの挿入方向と平行である又は直交する、請求項１２に記載のカードホルダー。
【請求項１４】
前記カードトレイは、前記ナノＳＩＭカードを収容可能な少なくとも２つの凹部を含み、該凹部は、前記カードトレイの挿入方向に沿って離間している、請求項１２に記載のカードホルダー。
【請求項１５】
前記凹部の内側に向けて突出する少なくとも１つの弾性クランプ部材が、前記凹部のエッジ部に配置される、請求項１２乃至１４のいずれか一項に記載のカードホルダー。
【請求項１６】
前記弾性クランプ部材はプラスチック製の突起部である、請求項１５に記載のカードホルダー。
【請求項１７】
請求項１乃至１６のいずれか一項に記載のカードホルダーを含む携帯端末であって、
前記カードホルダーは、メモリカード又はナノＳＩＭカードの少なくとも１つを収容するように構成される、
携帯端末。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
ホルダー本体及び第１の複数の電気コネクタを含むカードホルダーであって、
前記ホルダー本体は、第１のナノＳＩＭカードと一致する第１のカードスロットと共に配置され、
該第１のカードスロットは、１つのカード、すなわち前記第１のナノＳＩＭカード又は該第１のナノＳＩＭカードと一致する形状を有するメモリカードのいずれかを収容するように構成され、
前記第１の複数の電気コネクタの少なくともいくつかは、その位置が前記第１のナノＳＩＭカード内の電気接点の位置と一致する第１の電気コネクタであり、前記第１の電気コネクタは、前記第１のカードスロットに収容された前記第１のナノＳＩＭカード又は前記メモリカードに電気的に接続するように構成され、及び
前記第１の複数の電気コネクタは全て、前記メモリカードに電気的に接続するように構成される、
カードホルダー。
【請求項２】
前記第１の複数の電気コネクタは全て、その位置が前記第１のナノＳＩＭカードの前記電気接点の位置と一致する第１の電気コネクタである、請求項１に記載のカードホルダー。
【請求項３】
少なくとも２つの第１の電気コネクタの位置が同じ電気接点の位置と一致する、請求項２に記載のカードホルダー。
【請求項４】
前記少なくとも２つの第１の電気コネクタは、前記メモリカード内の異なる接点に対応する、請求項３に記載のカードホルダー。
【請求項５】
前記第１の複数の電気コネクタは、少なくとも２つの電気コネクタ・アセンブリを含み、各電気コネクタ・アセンブリは、同じ電気接点の位置に一致する少なくとも２つの第１の電気コネクタを含む、請求項３に記載のカードホルダー。
【請求項６】
各電気コネクタ・アセンブリは、同じ電気接点の位置に一致する２つの第１の電気コネクタを含む、請求項５に記載のカードホルダー。
【請求項７】
前記少なくとも２つの電気コネクタ・アセンブリは、第１の電気コネクタ・アセンブリ及び第２の電気コネクタ・アセンブリを含み、前記第１の電気コネクタ・アセンブリ内の各第１の電気コネクタは、前記ナノＳＩＭカード内のＶＣＣ接点の位置と一致し、前記第２の電気コネクタ・アセンブリ内の各第１の電気コネクタは、前記ナノＳＩＭカード内のＧＮＤ接点の位置と一致する、請求項５に記載のカードホルダー。
【請求項８】
前記電気コネクタ・アセンブリ内の前記第１の電気コネクタは、異なる態様で配置される、及び／又は
各電気コネクタ・アセンブリは、その形状が別の電気コネクタ・アセンブリ内の第１の電気コネクタの形状とは異なる第１の電気コネクタを有する、請求項５に記載のカードホルダー。
【請求項９】
前記第１の複数の電気コネクタは第２の電気コネクタを含み、該第２の電気コネクタの位置が、前記ナノＳＩＭカード内の任意の電気接点の位置に対応しない、請求項１に記載のカードホルダー。
【請求項１０】
前記第２の電気コネクタは、カード面に直交する方向で、当該カードホルダーにおける前記ナノＳＩＭカードの投影面積に配置される、請求項９に記載のカードホルダー。
【請求項１１】
前記電気コネクタはばねである、請求項１に記載のカードホルダー。
【請求項１２】
前記ホルダー本体は収容キャビティを含み、
当該カードホルダーは、前記収容キャビティに挿入可能なカードトレイを含み、
該カードトレイは、前記ナノＳＩＭカードを収容可能な凹部を含み、及び
該凹部は、前記カードスロットの少なくとも部分的な内壁を形成する、請求項１に記載のカードホルダー。
【請求項１３】
前記カードトレイは、１つの凹部を含み、
該凹部の長さ方向が、前記カードトレイの挿入方向と平行である又は直交する、請求項１２に記載のカードホルダー。
【請求項１４】
前記カードトレイは、前記第１のナノＳＩＭカード及び第２のナノＳＩＭカードを収容可能な少なくとも２つの凹部を含み、該凹部は、前記カードトレイの挿入方向に沿って離間しており、前記カードホルダーは、前記第２のナノＳＩＭカードに電気的に接続するように構成された第２の複数の電気コネクタをさらに含む、請求項１２に記載のカードホルダー。
【請求項１５】
前記凹部の内側に向けて突出する少なくとも１つの弾性クランプ部材が、前記凹部のエッジ部に配置される、請求項１２に記載のカードホルダー。
【請求項１６】
前記弾性クランプ部材はプラスチック製の突起部である、請求項１５に記載のカードホルダー。
【請求項１７】
メモリカード又はナノＳＩＭカードのうちの少なくとも１つを収容するように構成されたカードホルダーを含む携帯端末であって、
前記カードホルダーは、ホルダー本体及び複数の電気コネクタを含み、前記ホルダー本体は、ナノＳＩＭカードと一致するカードスロットと共に配置され、
前記カードスロットは、前記ナノＳＩＭカード又は該ナノＳＩＭカードと同じ形状を有するメモリカードを収容するように構成され、
前記複数の電気コネクタの少なくともいくつかは、その位置が前記ナノＳＩＭカード内の電気接点の位置と一致する第１の電気コネクタであり、該第１の電気コネクタは、前記カードスロットに収容された前記ナノＳＩＭカード又は前記メモリカードに電気的に接続するように構成され、及び
前記複数の電気コネクタは、前記メモリカードに電気的に接続するように構成される、
携帯端末。
【請求項１８】
ホルダー本体、第１の複数の電気コネクタ、及び第２の複数の電気コネクタを含むカードホルダーを含む電子装置であって、
前記ホルダー本体は、第１のナノＳＩＭカードと一致する第１のカードスロット、及び第２のナノＳＩＭカードと一致する第２のカードスロットと共に配置され、
前記第１のカードスロットは、前記第１のナノＳＩＭカード又は該第１のナノＳＩＭカードと一致する形状を有するメモリカードを収容するように構成され、
前記第１の複数の電気コネクタの少なくともいくつかは、その位置が前記第１のナノＳＩＭカード内の電気接点の位置と一致する第１の電気コネクタであり、該第１の電気コネクタは、前記第１のカードスロットに収容された前記第１のナノＳＩＭカード又は前記メモリカードに電気的に接続するように構成され、及び
前記第１の複数の電気コネクタは、前記メモリカードに電気的に接続するように構成され、
前記第２の複数の電気コネクタは、前記第２のナノＳＩＭカードに電気的に接続するように構成される、
電子装置。
【国際調査報告】
2021513207.tif 000028
2021513207.tif 000029
2021513207.tif 000030
2021513207.tif 000031
2021513207.tif 000032
2021513207.tif 000033